(57)【要約】      （修正有）【課題】照明器具の取付面の傾斜角度が変更自在な取付台を有する照明装置を提供する。【解決手段】照明装置１は、光源となる発光素子を有する光源ユニット２００と、光源ユニットが取り付けられる照明器具１００と、照明器具１００の外郭を構成する器具本体の、光源ユニット２００が配置される側と反対の側に取り付けられ、照明器具１００を被取付部５００に取り付ける取付台と、を備える。取付台は、取付台に取り付けられた照明器具１００を、被取付部５００に対して垂直に配置された状態と、被取付部５００に対して傾斜して配置された状態との間で回動自在に保持する。【選択図】図４５
2020024804.tif 000002
【特許請求の範囲】
【請求項１】
光源となる発光素子を有する光源ユニットと、
前記光源ユニットが取り付けられる照明器具と、
前記照明器具の外郭を構成する器具本体の、前記光源ユニットが配置される側と反対の側に取り付けられ、前記照明器具を被取付部に取り付ける取付台と、
を備え、
前記取付台は、前記取付台に取り付けられた前記照明器具を、前記被取付部に対して垂直に配置された状態と、前記被取付部に対して傾斜して配置された状態との間で回動自在に保持する照明装置。
【請求項２】
前記取付台は、
前記被取付部に取り付けられる台座部と、
前記器具本体が取り付けられる取付部と、
前記台座部と前記取付部とを回動自在に連結させる軸部と、
を有し、
前記台座部は、前記被取付部に固定される脚部と、
前記脚部から立ち上がる壁部を構成する制御Ａ部と、
を有し、
前記取付部は、
前記器具本体が載置されて固定される取付板部と、
前記取付板部から立ち上がる壁部を構成する制御Ｂ部と、
を有し、
前記取付台は、
前記制御Ａ部と前記制御Ｂ部とが前記軸部によって摺動自在に連結されており、
前記制御Ａ部に形成されたＡ部第一係合部と、前記制御Ｂ部に形成されたＢ部第二係合部とが係合することで、前記照明器具を回動自在に保持する請求項１に記載の照明装置。
【請求項３】
前記Ａ部第一係合部は、
前記制御Ａ部に形成された円形状の開口穴である制御孔部であり、前記制御孔部は、前記軸部を円の中心点とした仮想の円弧に沿って所定の角度ごとに複数形成されており、
前記Ｂ部第二係合部は、
前記制御Ａ部と対向する面に凸状に形成された制御凸部であり、前記制御凸部は、前記制御Ｂ部の板面に対する平面視において円形状に形成されていると共に、前記制御Ｂ部の板面に対する垂直断面において円弧状に形成されており、
前記制御凸部が、複数の前記制御孔部のいずれか１つに嵌合することで、前記取付部の前記台座部に対する傾斜角度が決定される請求項２に記載の照明装置。
【請求項４】
前記照明器具は、長尺状に形成されており、
前記照明器具が、前記被取付部に対して垂直に配置された状態で前記取付台に取り付けられていると仮定した場合に、
前記脚部は、前記被取付部に対する垂直方向において前記照明器具を前記被取付部に投影してなる投影部よりも、前記照明器具の短手方向において長く形成されている請求項２又は請求項３に記載の照明装置。
【請求項５】
前記照明器具が、前記取付台に取り付けられ、前記被取付部に対して平行となるように傾倒した状態であると仮定した場合に、
前記被取付部に対する垂直方向において前記照明器具及び前記光源ユニットを前記被取付部に投影してなる投影部の少なくとも一部は、前記照明器具の短手方向において前記脚部の一方の端部よりも外側に位置する請求項２〜請求項４のいずれか１項に記載の照明装置。
【発明の詳細な説明】
【技術分野】
【０００１】
本発明は、天井あるいは壁等の被取付部に照明装置を取り付ける取付台を備えた照明装置に関するものである。
【背景技術】
【０００２】
従来から、照明装置を傾斜させて固定する取付金具が存在する（例えば、特許文献１参照）。特許文献１に記載の取付金具は、被取付部に取り付けられると共に被取付部に対して斜めに形成された照明装置の取付面を有している。照明装置は、この斜めに形成された取付面に取り付けられることで、被取付部に対して斜めに取り付けることができる。
【先行技術文献】
【特許文献】
【０００３】
【特許文献１】特開２０１６−２１２９９３号公報
【発明の概要】
【発明が解決しようとする課題】
【０００４】
しかしながら、特許文献１に記載の取付金具は、照明装置の取付面の傾斜角度を変更することができず、汎用性がない。
【０００５】
本発明は、上記の課題を鑑みてなされたものであり、照明器具の取付面の傾斜角度が変更自在な取付台を有する照明装置を提供するものである。
【課題を解決するための手段】
【０００６】
本発明に係る照明装置は、光源となる発光素子を有する光源ユニットと、光源ユニットが取り付けられる照明器具と、照明器具の外郭を構成する器具本体の、光源ユニットが配置される側と反対の側に取り付けられ、照明器具を被取付部に取り付ける取付台と、を備え、取付台は、取付台に取り付けられた照明器具を、被取付部に対して垂直に配置された状態と、被取付部に対して傾斜して配置された状態との間で回動自在に保持するものである。
【発明の効果】
【０００７】
本発明の照明装置は、取付台は、取付台に取り付けられた照明器具を、被取付部に対して垂直に配置された状態と、被取付部に対して傾斜して配置された状態との間で回動自在に保持するものである。そのため、照明装置は、照明器具の取付面の傾斜角度を変更自在に回動させることができる。
【図面の簡単な説明】
【０００８】
【図１】本発明の実施の形態に係る照明装置の斜視図である。
【図２】図１の照明装置の分解斜視図である。
【図３】図２の照明器具の斜視図である。
【図４】図３の照明器具の分解斜視図である。
【図５】図４の端板部の斜視図である。
【図６】図４の端板部と照明器具の器具本体とが分離した状態の照明器具の組み立てに関する参考図である。
【図７】図６の端板部と照明器具の器具本体とが接触した状態の照明器具の組み立てに関する参考図である。
【図８】図７の端板部と照明器具の器具本体とが係合した状態の照明器具の組み立てに関する参考図である。
【図９】図２の光源ユニットの分解斜視図である。
【図１０】図９のエンドキャップの外側から見た斜視図である。
【図１１】図１０のエンドキャップの内側から見た斜視図である。
【図１２】図９のバネの斜視図である。
【図１３】図９のエンドキャップ及びバネが分離した状態の、光源ユニットの組み立てに関する参考図である。
【図１４】図１３のバネが取り付けられた状態の、光源ユニットの組み立てに関する参考図である。
【図１５】図１３のエンドキャップ及びバネが取り付けられた状態の、光源ユニットの組み立てに関する参考図である。
【図１６】図１３の光源ユニットにカバーが取り付けられた状態の、光源ユニットの組み立てに関する参考図である。
【図１７】図１３の光源ユニットが組み立てられた状態の参考図である。
【図１８】図９のエンドキャップ及びバネが分離した状態の、光源ユニットの組み立てに関する参考図である。
【図１９】図１８のバネが取り付けられた状態の、光源ユニットの組み立てに関する参考図である。
【図２０】図１９のバネを取り付ける際の、光源ユニットの組み立てに関する参考図である。
【図２１】図１７の光源ユニットの、長手方向（Ｘ軸方向）の端部の側面図である。
【図２２】図９のエンドキャップの変形例の外側から見た斜視図である。
【図２３】図２２のエンドキャップの内側から見た斜視図である。
【図２４】図９のエンドキャップの、他の変形例のエンドキャップとカバーとの組み合わせ部分の拡大図である。
【図２５】図２の光源ユニットと照明器具の器具本体とが分離した状態の、光源ユニットの照明器具への取り付けに関する参考図である。
【図２６】図２５の光源ユニットと照明器具の器具本体とが接触した状態の、光源ユニットの照明器具への取り付けに関する参考図である。
【図２７】図２６の光源ユニットと照明器具の器具本体とが係合した状態の、光源ユニットの照明器具への取り付けに関する参考図である。
【図２８】本発明の実施の形態に係る照明装置の連結部材の斜視図である。
【図２９】図２８の連結部材の正面図である。
【図３０】図２９の連結部材の側面図である。
【図３１】図２９の連結部材の照明器具への取り付けに関する参考図である。
【図３２】図３１の連結部材が照明器具に取り付けられた状態を示す参考図である。
【図３３】図２８の連結部材の変形例の斜視図である。
【図３４】図２８の連結部材の他の変形例の正面図である。
【図３５】図３４の連結部材におけるＣ部の部分拡大図である。
【図３６】本発明の実施の形態に係る照明装置の器具側バネの斜視図である。
【図３７】図３６の器具側バネと光源ユニットとが接触した状態の、光源ユニットの照明器具への取り付けに関する参考図である。
【図３８】図３７の器具側バネと光源ユニットとが係合した状態の、光源ユニットの照明器具への取り付けに関する参考図である。
【図３９】本発明の実施の形態に係る照明装置の他の器具側バネの斜視図である。
【図４０】図３９の器具側バネと光源ユニットとが分離した状態の、光源ユニットの照明器具への取り付けに関する参考図である。
【図４１】図４０の器具側バネと光源ユニットとが係合した状態の、光源ユニットの照明器具への取り付けに関する参考図である。
【図４２】本発明の実施の形態に係る照明装置の取付台の斜視図である。
【図４３】図４２の取付台の分解斜視図である。
【図４４】図４２の取付台の可動に関する参考図である。
【図４５】図４４の照明装置が回動された状態の、取付台の可動に関する参考図である。
【発明を実施するための形態】
【０００９】
以下、本発明の実施の形態に係る照明器具１００及び照明装置１について、図面を参照して説明する。各図において同じまたは対応する構成要素には、同じ符号を付し、説明の繰り返しを省略する場合がある。ここで、以下に説明する実施の形態によって本発明が限定されるものではない。また、以下の図面では各構成部材の大きさの関係が実際のものとは異なる場合がある。また、実施の形態の説明において、上、下、左、右、前、後、表、裏といった向きあるいは位置が示されている場合がある。これらの表記は、説明の便宜上の記載であり、装置、器具、あるいは部品等の配置、方向及び向きを限定するものではない。
【００１０】
実施の形態．
＜照明装置１の構成＞
図１本発明の実施の形態に係る照明装置１の斜視図である。図２は、図１の照明装置１の分解斜視図である。図１及び図２を参照して、実施の形態に係る照明装置１の構成を説明する。以下の説明において、照明装置１の長手方向に沿った方向を長手方向（Ｘ軸方向）とする。また、長手方向（Ｘ軸方向）に直交し、長手方向（Ｘ軸方向）に対する短手方向を短手方向（Ｙ軸方向）とする。そして、長手方向（Ｘ軸方向）及び短手方向（Ｙ軸方向）のいずれとも直交する方向を上下方向（Ｚ軸方向）とする。さらに、上下方向（Ｚ軸方向）において、照明装置１が取り付けられる天井あるいは壁等の被取付部側への向きを上向きＺ１とする。そして、上向きＺ１と反対側への向きであり照明装置１から光が照射される照射空間側への向きを下向きＺ２とする。ここで、上向きＺ１は、光源ユニット２００が照明器具１００に取り付けられる向きであり、下向きＺ２は、光源ユニット２００が照明器具１００から取り外される向きである。
【００１１】
本実施の形態における照明装置１は、天井あるいは壁等の被取付部に取り付けられる照明器具１００と、この照明器具１００に取り付けられる光源ユニット２００と、を有する。実施の形態では、照明装置１は、いわゆるトラフタイプの照明器具１００を例として示す。なお、実施の形態、及び変形例における照明装置１は、いわゆるトラフタイプの照明器具１００を例示して説明するが、照明装置１はトラフタイプの照明器具１００に限定されるものではない。照明装置１は、光源ユニット２００が装着される照明器具１００として、例えば、いわゆる笠付タイプ、片側反射笠付タイプ、Ｖ形タイプ等、他の形状のものを採用することができる。照明装置１は、照明器具１００が器具本体１１０を有しており、光源ユニット２００の一部がこの器具本体１１０に収容されるように取り付けられている。
【００１２】
［照明器具１００］
図３は、図２の照明器具１００の斜視図である。図４は、図３の照明器具１００の分解斜視図である。図１〜図４を参照して照明器具１００の構成を説明する。照明器具１００は、光源を有する光源ユニット２００が取り付けられることによって照明装置１を構成する。照明器具１００は、器具本体１１０と、電源装置１２０と、電源端子台１３０と、端板部１５０と、を有している。照明器具１００は、器具本体１１０の長手方向（Ｘ軸方向）端部に端板部１５０が取り付けられていると共に、電源装置１２０及び電源端子台１３０が器具本体１１０の内側に配設されている。また、照明器具１００は、後述する器具側バネ１６０（図３６参照）を有してもよい。さらに、照明器具１００は、調光端子台（図示は省略）を器具本体１１０の内部に収容してもよい。
【００１３】
（器具本体１１０）
照明器具１００を構成する器具本体１１０は、装着された光源ユニット２００の一部を内部に収容する。器具本体１１０は、照明器具１００の外郭を構成し、例えば、金属製の板材を折り曲げて形成される。ただし、器具本体１１０は、金属製の板材の折り曲げから形成されるものに限定されるものではなく、例えば、樹脂、セラミック等、他の材料を用いて形成されてもよく、また、押出成形、積層造形等、他の方法で形成されてもよい。器具本体１１０は、箱状に形成されており、光源ユニット２００の一部が収容される内部空間を形成し、また、長尺状に形成されており、両方の端部１１０ａに端部開口部１１０ｂが形成されている。器具本体１１０は、長方形の板状に形成された底部１１１と、底部１１１の短手方向（Ｙ軸方向）の両側辺からそれぞれ立ち上がり突出して設けられている側面部１１２とを有する。器具本体１１０は、底部１１１と、互いに対向する２つの側面部１１２とによって凹形状に形成される。このため器具本体１１０は、底部１１１と、互いに対向する２つの側面部１１２とによって囲まれる内部空間を形成している。器具本体１１０は、互いに対向する２つの側面部１１２と、互いに対向する２つの端板部１５０とによって、本体開口部１１３を形成している。この本体開口部１１３は、光源ユニット２００の着脱を行う際の装着口となり、器具本体１１０の長手方向（Ｘ軸方向）において、両方の端部１１０ａの間に形成されている。
【００１４】
底部１１１には、電源装置１２０及び電源端子台１３０が取り付けられる。また、底部１１１には、調光端子台（図示は省略）が取り付けられてもよい。また、底部１１１には、電源穴１１１ａと、取付穴１１１ｂとが形成されている。電源穴１１１ａは、商用電力の供給を受けるための電源線を引き込むために底部１１１に形成された貫通孔であり、この電源線は、照明器具１００の外部から電源穴１１１ａを介して電源端子台１３０に接続される。取付穴１１１ｂは、器具本体１１０をビスあるいはボルト等の固定具で天井あるいは壁等の被取付部に固定するために、底部１１１に形成された貫通孔である。電源穴１１１ａ及び取付穴１１１ｂは、照明器具１００の長手方向（Ｘ軸方向）において、電源装置１２０及び電源端子台１３０の設置位置よりも外側に形成されている。なお、電源穴１１１ａは、器具本体１１０に調光端子台（図示は省略）が取り付けられる場合には、調光端子台（図示は省略）の設置位置よりも外側に形成されている。そして、器具本体１１０に調光端子台（図示は省略）が取り付けられる場合には、底部１１１には、調光端子台（図示は省略）に接続される信号線を引き込むための信号線穴が形成されてもよい。
【００１５】
側面部１１２は、照明器具１００の上下方向（Ｚ軸方向）において、一方の端部は底部１１１と連続して形成されており、他方の端部は器具本体１１０の本体開口部１１３を形成する。２つの側面部１１２は、それぞれ側面部１１２の本体開口部１１３側の端部に、光源ユニット２００を保持する凸部１１４を有している。凸部１１４は、対に設けられた側面部１１２の端部において、互いに向かい合うように突出して設けられている。凸部１１４は、底部１１１と反対側の先端部１１４ｆが、器具本体１１０の内部空間側に向かって円弧を形成するように折り曲げられ、かつ、凸部１１４の縁部１１４ｄ（図６参照）が、側面部１１２を向くように折り曲げられている。
【００１６】
（電源装置１２０）
電源装置１２０は、商用電源から供給される交流電力を直流電力に変換し、光源ユニット２００を点灯させるものである。電源装置１２０は、略直方体形状をしたケース１２０ａと、このケース１２０ａの内部に配置された点灯回路（図示は省略）とを有している。また、電源装置１２０の出力側には、光源ユニット２００の後述する光源側電線２１３（図９参照）とコネクタ等によって着脱自在に接続する電源側電線（図示は省略）が設けられている。
【００１７】
（電源端子台１３０）
電源端子台１３０は、商用電源から供給される電力を、照明器具１００を構成する各部品へ供給するものであり、電源端子台１３０には外部から引き込まれた電線が接続される。電源端子台１３０は、器具本体１１０の長手方向（Ｘ軸方向）において、電源装置１２０を挟むように２つ配置されており、また、電源装置１２０と電源穴１１１ａとの間にそれぞれ配置されている。また、電源端子台１３０は、電源穴１１１ａと隣接するように配置されている。
【００１８】
２つの電源端子台１３０は、互いに接続される端子台電線１３１を有しているとともに、一方の電源端子台１３０は電源装置１２０の入力部と電線（図示は省略）を介して接続される。照明器具１００は、このように２つの電源端子台１３０を設けることによって、どちらの電源穴１１１ａから電線が引き込まれても商用電源からの電力供給を受けることができる。なお、端子台電線１３１は、照明器具１００の器具内配線用の電線であり、外部から引き込まれた電線よりも細く形成されている。このように、照明器具１００は、電源端子台１３０が内部に配設されることで、器具本体１１０の内側に外部から引き込まれる電線を配置するスペースを設ける必要がなく、器具本体１１０の内部空間を有効活用することができる。また、照明器具１００は、電源端子台１３０が内部に配設されることで、器具本体１１０の内側に外部から引き込まれる電線を配置するスペースを設ける必要がなく、器具本体１１０の大型化を抑制することができる。
【００１９】
上述したように、照明器具１００は、器具本体１１０の内部に調光端子台（図示は省略）を有してもよい。調光端子台は、外部から引き込まれる信号電線が挿し込まれるものであり、信号電線を介して送付される制御信号を電源装置１２０に伝えるものである。この信号電線は、電源穴１１１ａから引き込んでもよく、底部１１１に信号線用の穴（図示は省略）を形成し、この信号線用の穴から引き込んでもよい。
【００２０】
（端板部１５０）
図５は、図４の端板部１５０の斜視図である。図６は、図４の端板部１５０と照明器具１００の器具本体１１０とが分離した状態の照明器具１００の組み立てに関する参考図である。図７は、図６の端板部１５０と照明器具１００の器具本体１１０とが接触した状態の照明器具１００の組み立てに関する参考図である。図８は、図７の端板部１５０と照明器具１００の器具本体１１０とが係合した状態の照明器具１００の組み立てに関する参考図である。図１〜図８を用いて、端板部１５０について説明する。端板部１５０は、器具本体１１０の長手方向（Ｘ軸方向）の端部１１０ａを塞ぐように配置される。端板部１５０は、器具本体１１０の底部１１１及び側面部１１２とそれぞれ係合して固定されており、器具本体１１０の変形を抑制するものである。
【００２１】
端板部１５０は、器具本体１１０の長手方向（Ｘ軸方向）の端部１１０ａに形成された端部開口部１１０ｂに配置されており、器具本体１１０の長手方向（Ｘ軸方向）の端部１１０ａの端部開口部１１０ｂを塞ぐ端板本体部１５１を有している。端板本体部１５１は、矩形の板状に形成されており、端板本体部１５１の板面は、底部１１１及び側面部１１２の板面に対して略直角に配置されている。端板本体部１５１は、ノックアウト加工が施されており、取り外されることで端板本体部１５１に端板電線穴１５１ｂを形成する端板蓋部１５１ａを有し、端板本体部１５１には端板蓋部１５１ａの縁部を形作る溝部１５１ｃが形成されている。
【００２２】
図５〜図８に示すように、端板本体部１５１には、矩形と円形とを組み合わせた略馬蹄形状をした端板蓋部１５１ａが取り外しできるように設けられている。端板蓋部１５１ａは、端板本体部１５１を構成する壁部にノックアウト加工が施された部分であり、例えば、たたくことにより、あるいは、切り取ることにより、現場で簡単に穴をあけることができる部分である。端板本体部１５１は、端板蓋部１５１ａが取り外されることで、Ｕ字状の縁部によって形成される端板電線穴１５１ｂが形成される。端板電線穴１５１ｂは、光源ユニット２００が照明器具１００に取り付けられた場合に光源ユニット２００と対向する側が開口するように形成されている。この端板電線穴１５１ｂには、後述する連結部材３００が取り付けられる。端板本体部１５１から取り外される端板蓋部１５１ａは、取り外される前には端板本体部１５１の壁の一部を構成している。端板本体部１５１において、端板本体部１５１から取り外された際に端板蓋部１５１ａの縁部を形成する部分に形成された溝部１５１ｃは、端板本体部１５１の壁が凹状に形成された部分であり、端板本体部１５１の壁の厚さが薄い部分となる。なお、溝部１５１ｃは、凹状に形成されるものに限定されるものではなく、例えば、ミシン目のように複数の貫通孔が連続して形成されてもよい。また、端板蓋部１５１ａはノックアウト加工により端板本体部１５１から取り外し可能に設けられているが、端板蓋部１５１ａは、ノックアウト加工以外にも爪による係合、あるいは、接着等で端板本体部１５１から取り外しができるように設けられてもよい。なお、端板電線穴１５１ｂは、複数の照明器具１００を連結したときに、例えば、照明器具１００に使用する電線等の配線に利用することができる。
【００２３】
図５に示すように、端板部１５０は、端板本体部１５１から器具本体１１０の端部１１０ａに挿し込まれる端板爪部１５２と、端板接続部１５３とを有している。端板爪部１５２は、板状に形成されており、端板本体部１５１の短手方向（Ｙ軸方向）の両端部の側辺からそれぞれ立ち上がるように突出して設けられている。端板爪部１５２は、端板部１５０が器具本体１１０に取り付けられた状態において、側面部１１２と対向するように配置される。端板爪部１５２は、端板部１５０が器具本体１１０に取り付けられた状態において、凸部１１４と係合する第一突出壁部１１５２ａと、第二突出壁部１１５２ｂとを有する。また、端板爪部１５２は、先端が内側に曲がった爪挿込部１５２ａと、凸部１１４の一部が嵌まり込む爪凹部１５２ｂと、一部が器具本体１１０の短手方向（Ｙ軸方向）に突出した突出部１５２ｃａを有する爪嵌合部１５２ｃとを有している。
【００２４】
第一突出壁部１１５２ａ及び第二突出壁部１１５２ｂは、矩形状の壁部であり、第一突出壁部１１５２ａと第二突出壁部１１５２ｂとの間には、爪凹部１５２ｂが形成されている。第一突出壁部１１５２ａ及び第二突出壁部１１５２ｂの２つの突出壁部は、端板部１５０が器具本体１１０に取り付けられた状態において、後述する第一切欠部１１４ｂと第二切欠部１１４ｃの２つの切欠部のそれぞれに挿入される。第一突出壁部１１５２ａ及び第二突出壁部１１５２ｂの２つの突出壁部は、第一切欠部１１４ｂと第二切欠部１１４ｃの２つの切欠部のそれぞれに挿入されると、照明装置１の長手方向（Ｘ軸方向）において、後述する端板固定部１１４ａと対向する。第一突出壁部１１５２ａは、端板部１５０が器具本体１１０に取り付けられた状態において、器具本体１１０の中央側に位置する。また、第二突出壁部１１５２ｂは、端板部１５０が器具本体１１０に取り付けられた状態において、器具本体１１０の端部１１０ａ側に位置する。
【００２５】
第一突出壁部１１５２ａは、器具本体１１０の中央側を構成する端縁部１５２ｔ２に、先端が内側に曲折しており、弾性変形する爪挿込部１５２ａを有している。爪挿込部１５２ａは、略三角の板状に形成されており、器具本体１１０の長手方向（Ｘ軸方向）において、端板爪部１５２の突出方向の端部に形成されている。すなわち、爪挿込部１５２ａは、端板爪部１５２において、端板本体部１５１との境界を構成する端縁部１５２ｔ１の反対側に位置する端縁部１５２ｔ２に形成されている。爪挿込部１５２ａは、略三角形の先端が端板部１５０の内側を向くように曲折しており、弾性変形するように形成されている。また、爪挿込部１５２ａは、端縁部１５２ｔ２の上縁部１５２ｐ側、すなわち、端板部１５０が器具本体１１０の端部１１０ａに挿し込まれた状態において、凸部１１４と対向する位置に形成されている。
【００２６】
爪凹部１５２ｂは、端板爪部１５２の上縁部１５２ｐ側に形成された切欠部である。爪凹部１５２ｂは、端板爪部１５２の上縁部１５２ｐから下方（Ｚ軸方向）に向かって矩形状に切り欠かれている。爪凹部１５２ｂは、端板爪部１５２において、第一突出壁部１１５２ａと第二突出壁部１１５２ｂとの間に形成されている。
【００２７】
突出部１５２ｃａは、端板爪部１５２の爪嵌合部１５２ｃから、対向する端板爪部１５２に向かって突出している。爪嵌合部１５２ｃは、端板部１５０が器具本体１１０に取り付けられた状態において、第二突出壁部１１５２ｂの凸部１１４と対向する部分であり、凸部１１４の端部と側面部１１２との間に嵌り込む。突出部１５２ｃａは、球面を構成している。突出部１５２ｃａは、爪嵌合部１５２ｃの板面に対する平面視において円形状に形成されており、爪嵌合部１５２ｃの板面に対する垂直断面において円弧状に形成されている。突出部１５２ｃａが形成されている爪嵌合部１５２ｃは、端板爪部１５２において、爪凹部１５２ｂと端板本体部１５１との間に形成されている壁部である。
【００２８】
図５及び図６を用いて、器具本体１１０と端板部１５０の係合について更に詳細に説明する。器具本体１１０は、端部１１０ａの内部空間側に端板部１５０と係合する第一係合部１１１４を有する。第一係合部１１１４は、凸部１１４のそれぞれにおいて、凸部１１４の縁部１１４ｄに形成された第一切欠部１１４ｂと第二切欠部１１４ｃとの２つの切欠部と、これらの２つの切欠部の間の壁部を構成する端板固定部１１４ａとによって形成されている。端板部１５０は、器具本体１１０に取り付けられると器具本体１１０の内部空間側に配置され、第一係合部１１１４と係合する第二係合部１１５２を有する。端板部１５０は、器具本体１１０の端部開口部１１０ｂに、器具本体１１０の長手方向（Ｘ軸方向）から差し込まれることで、第二係合部１１５２が第一係合部１１１４と係合し、器具本体１１０に取り付けられる。
【００２９】
器具本体１１０の凸部１１４は、図６に示すように、器具本体１１０の長手方向（Ｘ軸方向）の端部１１０ａにおいて、端板爪部１５２と係合する為の突出片である端板固定部１１４ａを有している。端板固定部１１４ａは、器具本体１１０の端部１１０ａにおいて、凸部１１４の一部の縁部１１４ｄを切り欠いた第一切欠部１１４ｂと、第二切欠部１１４ｃとを形成することで、第一切欠部１１４ｂと、第二切欠部１１４ｃとの間に形成されている。器具本体１１０の長手方向（Ｘ軸方向）において、端板固定部１１４ａの幅は、爪凹部１５２ｂの幅と略同じか僅かに小さい。なお、第一切欠部１１４ｂ及び第二切欠部１１４ｃは、器具本体１１０の長手方向（Ｘ軸方向）に沿って、凸部１１４の下端の縁部１１４ｄに形成されている。より詳細には、第一切欠部１１４ｂ及び第二切欠部１１４ｃは、凸部１１４を構成する壁部と側面部１１２との間の距離が最も離れた部分よりも、底部１１１側に形成されている。また、第二切欠部１１４ｃは、第一切欠部１１４ｂに対して、器具本体１１０の端部１１０ａ側に形成されている。端板固定部１１４ａは、器具本体１１０の端部１１０ａにおいて、第一切欠部１１４ｂ及び第二切欠部１１４ｃを構成する凸部１１４の底部１１１側の縁部から底部１１１側に突出するように形成されている。
【００３０】
端板部１５０は、図７に示すように、爪挿込部１５２ａ側から器具本体１１０の長手方向（Ｘ軸方向）の端部１１０ａに挿し込まれる。このとき、図８に示すように、爪挿込部１５２ａの先端が摺動し、爪挿込部１５２ａは端板固定部１１４ａを内側に乗り越えていくように弾性変形しながら挿し込まれて行き、第一切欠部１１４ｂにはめ込まれる。さらに、このとき爪嵌合部１５２ｃは突出部１５２ｃａが第二切欠部１１４ｃの内側に嵌まり込むとともに、端板固定部１１４ａが爪凹部１５２ｂに嵌まり込み、端板部１５０は器具本体１１０に取り付けられる。
【００３１】
端板部１５０は、爪挿込部１５２ａが内側に弾性変形しながら挿し込まれることで、器具本体１１０の側面部１１２には端板部１５０との係合のための穴あるいは凹みなどの加工または加工痕を設けないようにできる。そのため、照明器具１００は、意匠性を向上させることができる。また、端板部１５０は、端板接続部１５３が器具本体１１０の内側に配設されるとともに、底部１１１に固定材（ネジ）などにより接続され、端板部１５０と器具本体１１０との係合をより強固にすることができる。
【００３２】
［光源ユニット２００］
図９は、図２の光源ユニット２００の分解斜視図である。図２及び図９を用いて光源ユニット２００について説明する。光源ユニット２００は、照明器具１００に取り付けられることによって照明装置１を構成する。光源ユニット２００は、長尺状に形成されており、照明器具１００に装着されて使用される。光源ユニット２００は、照明器具１００の器具本体１１０に一部が収容され、器具本体１１０に着脱自在に取り付けられる。光源ユニット２００は、発光モジュール２１０と、フレーム２２０と、カバー２３０と、エンドキャップ２４０と、バネ２５０とを有している。
【００３３】
（発光モジュール２１０）
発光モジュール２１０は、光源となり長尺状に形成されている。発光モジュール２１０は、フレーム２２０よりも長尺状に形成されている。発光モジュール２１０は、複数の発光素子２１１と、この複数の発光素子２１１が直線状に実装される矩形状をした基板２１２と、基板２１２の長手方向（Ｘ軸方く）の一端側に設けられた光源側電線２１３とを有している。発光モジュール２１０の基板２１２は、長手方向（Ｘ軸方向）の長さがフレーム２２０よりも長く、カバー２３０と略同等の長さに形成されている。したがって、発光モジュール２１０がフレーム２２０上に取り付けられると、基板２１２は、両端部がフレーム２２０から突出した状態となる。
【００３４】
発光素子２１１は、光源ユニット２００の光源であり、電力が供給されると発光する。発光モジュール２１０は、発光素子２１１として、例えば、発光ダイオード（Ｌｉｇｈｔ  Ｅｍｉｔｔｉｎｇ  Ｄｉｏｄｅ；以下、ＬＥＤと称す）素子を用いる。発光素子２１１は、基板２１２に直線状に実装される構成に限定されるものではなく、例えば、基板２１２の実装面に、基板２１２の長手方向（Ｘ軸方向）に沿って、列状、千鳥状等に実装されてもよい。発光素子２１１は、例えば、波長が４４０〜４８０〔ｎｍ〕の青色光を出射するＬＥＤチップ上に、青色光を黄色光に波長変換する蛍光体を配してパッケージ化された面実装部品である疑似白色ＬＥＤ素子である。なお、発光素子２１１は、発光ダイオード素子に限定されるものではない。発光素子２１１は、例えば、固体レーザ（Ｓｏｌｉｄ  Ｓｔａｔｅ  Ｌａｓｅｒ）、半導体レーザ（Ｓｅｍｉｃｏｎｄｕｃｔｏｒ  Ｌａｓｅｒ）、有機ＥＬ（Ｅｌｅｃｔｒｏ  Ｌｕｍｉｎｅｓｃｅｎｃｅ）、無機ＥＬ等を用いてもよい。基板２１２には、例えば、ガラス−エポキシ基板（ＦＲ−４）、ガラス−コンポジット基板（ＣＥＭ−３）、紙エポキシ基板（ＦＲ−３）、紙フェノール基板（ＸＰＣ）又は金属ベース基板等が用いられる。
【００３５】
（フレーム２２０）
フレーム２２０は、発光素子２１１を有する発光モジュール２１０が取り付けられる。フレーム２２０は、長尺に形成されており、断面が略Ｈ字状に形成されている。フレーム２２０は、例えば、アルミ材を押出成型して形成してもよく、板金を折り曲げて一体的に形成しても良い。フレーム２２０は、発光モジュール２１０が取り付けられる基板取付面２２１ａを形成する第一板部２２１を有する。また、フレーム２２０は、第一板部２２１の基板取付面２２１ａと反対側の面から突出する柱部２２２と、柱部２２２を挟むように第一板部２２１と対向するよう設けられた第二板部２２３とを有している。
【００３６】
第一板部２２１は、発光モジュール２１０が取り付けられる基板取付面２２１ａと、カバー２３０を保持するカバー保持部２２１ｂと、を有している。基板取付面２２１ａは、カバー２３０がフレーム２２０に取り付けられた状態において、カバー２３０と対向する面である。カバー保持部２２１ｂは、フレーム２２０の短手方向（Ｙ軸方向）の端部において、フレーム２２０の長手方向（Ｘ軸方向）に沿って形成されている。カバー保持部２２１ｂは、鉤状に形成されており、断面Ｌ字形状に形成されている。カバー保持部２２１ｂが形成する溝部は、フレーム２２０の内側となる発光素子２１１側に開口している。発光モジュール２１０及びカバー２３０は、フレーム２２０の長手方向（Ｘ軸方向）の端部から挿し込まれてフレーム２２０に取り付けられる。また、フレーム２２０は、短手方向（Ｙ軸方向）において、カバー保持部２２１ｂの内側に第二カバー保持部２２１ｃが設けられている。この第二カバー保持部２２１ｃは、カバー２３０の内側にレンズ等の配光制御部材等が取り付けられる部分である。第二カバー保持部２２１ｃは、カバー保持部２２１ｂの内側において、フレーム２２０の長手方向（Ｘ軸方向）に沿って形成されている。第二カバー保持部２２１ｃは、鉤状に形成されており、断面Ｌ字形状に形成されている。第二カバー保持部２２１ｃが形成する溝部は、フレーム２２０の内側となる発光素子２１１側に開口している。
【００３７】
柱部２２２は、第一板部２２１の短手方向（Ｙ軸方向）の中央部から、第二板部２２３の短手方向（Ｙ軸方向）の中央部に向かって突出し、第一板部２２１と第二板部２２３とを連結している。柱部２２２は、基板２１２の背面と第一板部２２１を介して対抗しており、柱部２２２があることで基板２１２から発せられる熱の放熱性を向上させることができる。
【００３８】
第二板部２２３は、第一板部２２１と対向するように設けられている。第二板部２２３は、短手方向（Ｙ軸方向）における長さが第一板部２２１より短く形成されている。また、第二板部２２３にはスリット部（図示は省略）が設けられている。このスリット部は、第二板部２２３の長手方向（Ｘ軸方向）に沿って形成され、端部２２１ｔにはネジなどの固定具が取り付けられるフレーム固定孔２２３ｂ（図１８、図３７、図４０参照）が設けられている。
【００３９】
フレーム２２０は、強度の特徴として下記（１）〜（３）の特徴を有する。（１）フレーム２２０の第一板部２２１及び第二板部２２３はＨ鋼のフランジの役割を果たし、柱部２２２はＨ鋼のウェブの役割を果たす。（２）第一板部２２１及び第二板部２２３は、長手方向（Ｘ軸方向）に曲げようとする力がかかったときに、それぞれで負荷を分担することができる。例えば、一方が引張の力に対抗し、他方が圧縮の力に対抗する。なお、曲げようとする力とは、荷重による撓み、あるいは、バネ等による引っ張る負荷も含まれる。（３）柱部２２２は、短手方向（Ｙ軸方向）へねじろうとする力に対向するものであり、上下方向（Ｚ軸方向）への長さを長くするよりも、短手方向（Ｙ軸方向）の幅寸法を長くすることによって、ねじれ難くできる。例えば、柱部２２２の短手方向（Ｙ軸方向）の幅寸法を、第一板部２２１の板厚、あるいは、第二板部２２３の板厚より厚くするとよい。このように、柱部２２２を上下方向（Ｚ軸方向）に長く形成しなくても、フレーム２２０の剛性を得ることができる。よって、フレーム２２０を薄型にすることができる。
【００４０】
照明装置１は、フレーム２２０及び器具本体１１０が、フレーム２２０と器具本体１１０の本体開口部１１３との短手方向（Ｙ軸方向）における長さに関して、次のような関係となる。ここで、本体開口部１１３の外寸を距離ＬＳ１と定義する。距離ＬＳ１は、対になる側面部１１２の外側から外側の寸法である。本体開口部１１３の内寸を距離ＬＳ２と定義する。距離ＬＳ２は、対向する凸部１１４同士の最短寸法である。フレーム２２０の短手方向（Ｙ軸方向）において、第一板部２２１の短手方向（Ｙ軸方向）の寸法を長さＬＳ３と定義する。フレーム２２０の短手方向（Ｙ軸方向）において、第二板部２２３の短手方向（Ｙ軸方向）の寸法を長さＬＳ４と定義する。ここで、第一板部２２１の長さＬＳ３は、第二板部２２３の長さＬＳ４よりも大きい。また、第一板部２２１の長さＬＳ３は、本体開口部１１３の外寸である距離ＬＳ１よりも大きい。さらに、第二板部２２３の長さＬＳ４は、本体開口部１１３の内寸である距離ＬＳ２よりも小さい。
【００４１】
（カバー２３０）
カバー２３０は、発光モジュール２１０を覆うと共に、フレーム２２０に取り付けられた状態において長手方向（Ｘ軸方向）における端部２３０ｔに開口部２３０ｃが形成される。カバー２３０は、発光素子２１１からの光を拡散して透過させるものであり、透過性の材料から形成されている。カバー２３０は、例えば、ポリカーボネートなどの樹脂材料を押し出し成型して形成している。また、カバー２３０は、アクリル、あるいは、ガラス等の他の材料により形成されてもよい。カバー２３０の長手方向（Ｘ軸方向）の長さは、後述するフレーム２２０の両端に配置された対向する２つのカバーキャップ部２４１の間の距離よりも短く形成されている。
【００４２】
カバー２３０は、発光モジュール２１０を覆うように対向する主カバー部２３１と、主カバー部２３１の短手方向（Ｙ軸方向）の両端側よりフレーム２２０側へ突出するように設けられ、カバー２３０の側壁を構成するカバー側面部２３２と、を有する。また、カバー２３０は、カバー側面部２３２の端部に設けられフレーム２２０のカバー保持部２２１ｂと係合するカバー爪部２３３を有している。なお、対になるカバー側面部２３２の外側の距離は、器具本体１１０の対になる側面部１１２の外寸と略同一であり、光源ユニット２００が照明器具１００に取り付けられた状態でカバー側面部２３２と側面部１１２とは連続的な意匠を形成することができる。主カバー部２３１は、カバー２３０の長手方向（Ｘ軸方向）の垂直断面において、直線状に形成されている。なお、主カバー部２３１の形状は当該形状に限定されるものではなく、例えば、カバー２３０の長手方向（Ｘ軸方向）の垂直断面において、円弧状に形成されてもよく、他の多角形状に形成されてもよい。
【００４３】
（エンドキャップ２４０）
図１０は、図９のエンドキャップ２４０の外側から見た斜視図である。図１１は、図１０のエンドキャップ２４０の内側から見た斜視図である。図９〜図１１を用いてエンドキャップ２４０について説明する。エンドキャップ２４０は、フレーム２２０に固定されてカバー２３０により形成される開口部２３０ｃを塞ぐように配置される。エンドキャップ２４０は、カバーキャップ部２４１と、第一突設部２４２と、第二突設部２４３と、フレームキャップ部２４４と、第一支持部２４５と、第二支持部２４６と、を有する。
【００４４】
カバーキャップ部２４１は、光源ユニット２００において、フレーム２２０及びカバー２３０の長手方向（Ｘ軸方向）の端部２００ａを覆う。すなわち、カバーキャップ部２４１は、カバー２３０により形成される開口部２３０ｃを覆う。カバーキャップ部２４１は、略矩形状の板材である。カバーキャップ部２４１は、光源ユニット２００において、カバー２３０の主カバー部２３１及びカバー側面部２３２に対して、略直角に配置される。フレーム２２０の両端に配置された対向する２つのカバーキャップ部２４１の間の距離は、カバー２３０の長手方向（Ｘ軸方向）の長さよりも長い。
【００４５】
第一突設部２４２は、光源ユニット２００において、カバー２３０の内側面部２３０ａに当接するように、カバーキャップ部２４１から突出して設けられる。より詳細には、第一突設部２４２は、光源ユニット２００において、カバー２３０の主カバー部２３１及びカバー側面部２３２の内側面部２３０ａと、第二カバー保持部２２１ｃの一部と当接するように設けられている。第一突設部２４２は、光源ユニット２００において、主カバー部２３１の内側面部２３０ａと当接する天板部２４２ａと、カバー側面部２３２の内側面部２３０ａと当接する側板部２４２ｂとを有する。第一突設部２４２は、天板部２４２ａと、対向する２つの側板部２４２ｂによって、カバーキャップ部２４１から突出する壁部を構成する。第一突設部２４２は、光源ユニット２００において、カバー２３０の端部２３０ｔとカバーキャップ部２４１との間を塞ぐものである。第一突設部２４２は、カバー２３０が摺動自在に当接している。すなわち、エンドキャップ２４０が、カバー２３０により形成された開口部２３０ｃを塞ぐ状態において、カバー２３０の内側面部２３０ａは、第一突設部２４２と摺動自在に当接する。
【００４６】
第一突設部２４２は、カバーキャップ部２４１よりも透過性が高く形成されている。例えば、第一突設部２４２は、カバーキャップ部２４１と異なる透過性を有する材料で形成されている。すなわち、第一突設部２４２は、カバーキャップ部２４１よりも透過性が高い材料で形成されていることが好ましい。また、第一突設部２４２は、主カバー部２３１及びカバー側面部２３２よりも透過性が高い材料で形成されていることが好ましい。エンドキャップ２４０は、カバーキャップ部２４１と、カバーキャップ部２４１と透過性が異なる第一突設部２４２とを、二色成型により一体に成型してもよい。このようにエンドキャップ２４０は、第一突設部２４２の透過性が高いことで、第一突設部２４２とカバー２３０とが重なっても、第一突設部２４２による光ムラ等の影響を抑制することができる。その結果、照明装置１は、エンドキャップ２４０の第一突設部２４２と、カバー２３０の主カバー部２３１及びカバー側面部２３２との重なった部分が影になり、あるいは、暗がりになることを抑制することができる。なお、エンドキャップ２４０は、第一突設部２４２の透過性を高くすることで、カバー２３０の端部の第一突設部２４２とカバー２３０との重なる部分の光ムラを抑制するようにしている。しかし、第一突設部２４２の透過性を高くするだけでなく、例えば、凹凸を設ける等、他の手段によって照明装置１の光ムラを抑制してもよい。
【００４７】
第二突設部２４３は、カバーキャップ部２４１から突出して設けられている。第二突設部２４３は、基板剥がれ防止部２４３ａと、キャップ側カバー保持部２４３ｃと、電線ガイド部２４３ｄと、平板部２４３ｅとを有する。
【００４８】
基板剥がれ防止部２４３ａは、カバーキャップ部２４１から突出する第一突出部２４３ａ１と、カバーキャップ部２４１から第一突出部２４３ａ１よりも突出する第二突出部２４３ａ２とを有する。第一突出部２４３ａ１及び第二突出部２４３ａ２は、カバーキャップ部２４１から突出する凸状に形成された部分である。第一突出部２４３ａ１は、また、平板部２４３ｅと一体に形成されている。第二突出部２４３ａ２は、第一突出部２４３ａ１よりも天板部２４２ａ側に形成されている。基板剥がれ防止部２４３ａは、第二突出部２４３ａ２と平板部２４３ｅとの間に間隙を形成し、エンドキャップ２４０と発光モジュール２１０とが組み合わされた場合に、発光モジュール２１０の端部がこの間隙に挿し込まれる。より詳細には、基板剥がれ防止部２４３ａは、第二突出部２４３ａ２と平板部２４３ｅとの間に間隙を形成し、エンドキャップ２４０と発光モジュール２１０とが組み合わされた場合に、この間隙に基板２１２が配置される。したがって、エンドキャップ２４０と発光モジュール２１０とが組み合わせられると、基板剥がれ防止部２４３ａは、光源ユニット２００において、フレーム２２０に取り付けられた基板２１２の端部２１２ｔを覆うように設けられている。そして、基板剥がれ防止部２４３ａは、基板２１２がフレーム２２０から外れることを抑制する。また、基板剥がれ防止部２４３ａは、上述のように、第一突出部２４３ａ１を有する。そのため、エンドキャップ２４０と発光モジュール２１０とが組み合わせられると、少なくとも第一突出部２４３ａ１がカバーキャップ部２４１から突出する長さ分、カバーキャップ部２４１と基板２１２の端面との間に間隙が形成される。
【００４９】
平板部２４３ｅは、平板状に形成されており、第一突設部２４２の天板部２４２ａと対向する壁である。平板部２４３ｅは、カバーキャップ部２４１から突出し、光源ユニット２００においてエンドキャップ２４０とフレーム２２０とが組み合わせられた場合に、突出方向の端面が、フレーム２２０の端部２２１ｔとなる第一板部２２１の端面と当接する。平板部２４３ｅは、後述するフレームキャップ部２４４の上壁を形成する。なお、フレームキャップ部２４４の上壁とは、キャップ側固定孔２４４ａを介して第二支持部２４６の形成側とは反対側に形成された壁である。第二突設部２４３の平板部２４３ｅには、電線切り欠き部２４３ｂが形成されている。電線切り欠き部２４３ｂは、平板部２４３ｅに形成された貫通孔であり、光源ユニット２００の短手方向（Ｙ軸方向）において、後述する第一支持部２４５と、フレームキャップ部２４４との間に形成されている。エンドキャップ２４０とフレーム２２０とが組み合わせられた場合に、電線切り欠き部２４３ｂが形成されていることで、平板部２４３ｅとフレーム２２０とによって開口が形成される。
【００５０】
電線切り欠き部２４３ｂは、第二突設部２４３の壁が切り欠かれている部分である。電線切り欠き部２４３ｂは、後述する第一支持部２４５とフレームキャップ部２４４との間に形成されている。電線切り欠き部２４３ｂは、光源ユニット２００において、図９に示す光源側電線２１３が挿通される部分である。より具体的には、上述したように、エンドキャップ２４０と発光モジュール２１０とが組み合わせられると、少なくとも第一突出部２４３ａ１がカバーキャップ部２４１から突出する長さ分、カバーキャップ部２４１と基板２１２の端面との間に間隙が形成される。光源側電線２１３は、このように形成された間隙と電線切り欠き部２４３ｂとに挿通されて光源ユニット２００の外部に配線される。
【００５１】
キャップ側カバー保持部２４３ｃは、カバーキャップ部２４１から突出して設けられている。キャップ側カバー保持部２４３ｃは、カバー保持部２２１ｂと略同形状に形成されており、光源ユニット２００において、キャップ側カバー保持部２４３ｃとカバー保持部２２１ｂとは面一状に連続した形状を構成する。キャップ側カバー保持部２４３ｃは、底板部２４３ｃ１と、短手方向（Ｙ軸方向）において底板部２４３ｃ１の端部から突出して鉤状に形成された鉤状部２４３ｃ２と、を有している。鉤状部２４３ｃ２は、光源ユニット２００の長手方向（Ｘ軸方向）の垂直断面において、断面Ｌ字状に形成されている。この鉤状部２４３ｃ２が形成する溝部は、光源ユニット２００において、フレーム２２０の内側となる発光素子２１１側に開口している。したがって、光源ユニット２００において、底板部２４３ｃ１と第一板部２２１とが連続して配置されると共に、鉤状部２４３ｃ２とカバー保持部２２１ｂとが連続して配置される。キャップ側カバー保持部２４３ｃは、光源ユニット２００において、カバー保持部２２１ｂと共に、カバー２３０のカバー爪部２３３が係合される。
【００５２】
電線ガイド部２４３ｄは、基板剥がれ防止部２４３ａの上部に設けられていると共に、カバーキャップ部２４１から突出して設けられており、光源ユニット２００の短手方向（Ｙ軸方向）において、電線切り欠き部２４３ｂへ延出するように形成されている。なお、基板剥がれ防止部２４３ａの上部とは、基板剥がれ防止部２４３ａと第一突設部２４２の天板部２４２ａとの間である。電線ガイド部２４３ｄは、第一突設部２４２の天板部２４２ａ側が凸となるように緩やかな円弧状に形成されている。エンドキャップ２４０は、基板剥がれ防止部２４３ａと電線ガイド部２４３ｄとが一体に形成されているが、エンドキャップ２４０は、当該構成に限定されるものではなく、基板剥がれ防止部２４３ａと電線ガイド部２４３ｄとが別体で形成されてもよい。
【００５３】
エンドキャップ２４０は、フレーム２２０に取り付けられた状態において、平板部２４３ｅがフレーム２２０の第一板部２２１の端面と当接する。そして、電線切り欠き部２４３ｂが、カバーキャップ部２４１とフレーム２２０の端面との間で光源側電線２１３を外側に引き出す開口となる。このように、光源ユニット２００において、基板剥がれ防止部２４３ａが光源側電線２１３のための開口を形成することで、フレーム２２０の熱伸縮による電線への負荷を抑制することができる。エンドキャップ２４０をフレーム２２０に取り付けることで形成される開口に、光源側電線２１３を挿通させることで、光源側電線２１３を予め形成された開口に挿し込む工程を省略することができ、作業を容易にすることができる。
【００５４】
フレームキャップ部２４４は、第二突設部２４３の平板部２４３ｅから天板部２４２ａと反対側へ突出する。フレームキャップ部２４４は、光源ユニット２００の端部２００ａにおいて、フレーム２２０の柱部２２２と、フレーム２２０の端部２２１ｔとなる第二板部２２３の端部を覆うように配置される。フレームキャップ部２４４は、第二突設部２４３の平板部２４３ｅを介してカバーキャップ部２４１とは反対側に形成されている。フレームキャップ部２４４は、光源ユニット２００が照明器具１００に取り付けられた場合に、照明器具１００の内部空間に配置される。フレームキャップ部２４４には、キャップ側固定孔２４４ａが形成されている。キャップ側固定孔２４４ａは、フレーム固定孔２２３ｂと共に、ネジ固定具２６０が挿通され、ネジ固定具２６０によって、フレームキャップ部２４４とフレーム２２０とが締結されて固定される。エンドキャップ２４０をフレーム２２０に固定する場合に、ネジ固定具２６０の頭部は、エンドキャップ２４０から突出している。
【００５５】
第一支持部２４５は、カバーキャップ部２４１から突出する板状に形成された部分である。第一支持部２４５は、光源ユニット２００において、フレームキャップ部２４４から第一板部２２１の一面側を支持するように突出する。より詳細には、第一支持部２４５は、光源ユニット２００において、フレームキャップ部２４４から第一板部２２１の基板取付面２２１ａと反対側の面を支持するように突出している。第一支持部２４５は、柱部２２２を挟むように光源ユニット２００の短手方向（Ｙ軸方向）において対に設けられている。なお、エンドキャップ２４０は、光源ユニット２００の短手方向（Ｙ軸方向）において、フレームキャップ部２４４と第一支持部２４５との間に間隙が形成されている。
【００５６】
第二支持部２４６は、フレームキャップ部２４４から突出する板状に形成された部分である。第二支持部２４６は、光源ユニット２００において、フレームキャップ部２４４から第二板部２２３の一面側を支持するように突出する。より詳細には、第二支持部２４６は、フレーム２２０の第二板部２２３の外側の面を支持するように突出している。エンドキャップ２４０は、第一突設部２４２と第二支持部２４６とにより上下方向（Ｚ軸方向）への移動が抑制され、フレーム２２０と当接する第一支持部２４５によりフレーム２２０の短手方向（Ｙ軸方向）への移動を抑制することができる。
【００５７】
（バネ２５０）
図１２は、図９のバネ２５０の斜視図である。図９及び図１２を用いてバネ２５０について説明する。バネ２５０は、図９に示すように、光源ユニット２００の長手方向（Ｘ軸方向）における両方の端部２００ａのそれぞれに設けられており、器具本体１１０の凸部１１４と係合して光源ユニット２００を照明器具１００に固定するものである。バネ２５０は、フレーム２２０に引っ掛かるバネ引掛け部２５１と、器具本体１１０の凸部１１４と係合するバネ係合部２５２ｃを有するバネ本体部２５２と、を有する。また、バネ２５０は、フレーム２２０の長手方向（Ｘ軸方向）にエンドキャップ２４０とともに、例えば、ネジ等の固定具で固定されるバネ固定部２５３を有している。
【００５８】
バネ引掛け部２５１は、バネ本体部２５２の後述するバネ底面部２５２ｂから突出し、バネ底面部２５２ｂに対して斜めに形成されている。バネ引掛け部２５１は、引掛け爪部２５１ａと、引掛け板部２５１ｂと、バネ板部２５１ｄと、を有する。バネ引掛け部２５１は、バネ引掛け部２５１の突出方向において、バネ底面部２５２ｂから、バネ板部２５１ｄ、引掛け板部２５１ｂ、引掛け爪部２５１ａの順に形成されている。また、バネ引掛け部２５１は、フレーム用開口２５１ｃを形成している。バネ引掛け部２５１は、光源ユニット２００において、引掛け爪部２５１ａと引掛け板部２５１ｂとによって第二板部２２３を狭持している。
【００５９】
引掛け爪部２５１ａは、フレーム２２０の第二板部２２３に引っ掛かるように、バネ底面部２５２ｂに対して斜めに形成されている。引掛け爪部２５１ａは、バネ引掛け部２５１の先端に形成されており、互いに向かい合う２つの鉤形状に形成された爪部２５１ａ１で構成されている。各爪部２５１ａ１はＬ字状に形成されており、突出部分が向かい合うように配置されている。互いに向かい合う２つの爪部２５１ａ１の間には、光源ユニット２００において、フレーム２２０の柱部２２２が挿通される。
【００６０】
引掛け板部２５１ｂは、フレーム２２０の第二板部２２３に引っ掛かるように、光源ユニット２００において、第二板部２２３と当接する。引掛け板部２５１ｂは、略Ｙ字状に形成されており、分岐する先端部にバネ引掛け部２５１の爪部２５１ａ１が形成されている。引掛け板部２５１ｂは、分岐する側と反対側の端部が、バネ板部２５１ｄを介して、バネ本体部２５２のバネ底面部２５２ｂと接続している。引掛け板部２５１ｂは、バネ底面部２５２ｂの仮想の延長面に対して略平行に配置されている。なお、引掛け板部２５１ｂは、バネ底面部２５２ｂの仮想の延長面に対して略平行である構成に限定されるものではない。引掛け板部２５１ｂは、例えば、バネ底面部２５２ｂに対する引掛け爪部２５１ａの傾きよりも、バネ底面部２５２ｂに対する引掛け板部２５１ｂの傾きが小さくなるように形成されてもよい。
【００６１】
バネ板部２５１ｄは、引掛け板部２５１ｂと、バネ底面部２５２ｂとの間に設けられている矩形の板状の部材である。バネ板部２５１ｄは、バネ底面部２５２ｂに対して斜めに形成されている。バネ板部２５１ｄは、光源ユニット２００において、バネ底面部２５２ｂと第二板部２２３との間に空間を形成する役割を果たす。すなわち、バネ２５０は、フレーム２２０に取り付けられた場合に、バネ底面部２５２ｂと第二板部２２３との間に間隔を形成する。
【００６２】
バネ引掛け部２５１は、引掛け爪部２５１ａの端部２５１ａ２と引掛け板部２５１ｂの端部２５１ｂ１とによって第二板部２２３が挿し込まれるフレーム用開口２５１ｃが形成されている。引掛け爪部２５１ａの端部２５１ａ２は、光源ユニット２００の長手方向（Ｘ軸方向）において、バネ本体部２５２側の端部であると共に、引掛け板部２５１ｂ側の端部である。引掛け板部２５１ｂの端部２５１ｂ１は、光源ユニット２００の長手方向（Ｘ軸方向）において、引掛け爪部２５１ａ側の端部である。また、フレーム用開口２５１ｃは、引掛け板部２５１ｂの一部を切り欠くように形成されている。換言すれば、フレーム用開口２５１ｃは、引掛け爪部２５１ａの一部の周縁部と引掛け板部２５１ｂの一部の周縁部とによって形成されている。
【００６３】
引掛け爪部２５１ａの端部２５１ａ２と引掛け板部２５１ｂの端部２５１ｂ１との距離は、引掛け爪部２５１ａと引掛け板部２５１ｂにより第二板部２２３を狭持できる大きさであればよい。バネ２５０の取付時に、引掛け爪部２５１ａをフレーム２２０端面と対向させるときは、端部２５１ａ２と端部２５１ｂ１との距離を、第二板部２２３の厚さより大きくすると、バネ２５０をフレーム２２０に取り付け易くなる。また、バネ２５０の取付時に、引掛け板部２５１ｂを第二板部２２３と対向させるときは、端部２５１ａ２と端部２５１ｂ１との距離を、第二板部２２３の厚さと略同等にさせると、バネ２５０をフレーム２２０に取り付け易くなる。
【００６４】
バネ本体部２５２は、光源ユニット２００において、第二板部２２３と上下方向（Ｚ軸方向）において対向するバネ底面部２５２ｂと、バネ底面部２５２ｂの短手方向（Ｙ軸方向）の両縁部から突出するように設けられたバネ爪部２５２ａを有している。バネ爪部２５２ａは、突出方向の先端に凸部１１４と係合するバネ係合部２５２ｃを有している。
【００６５】
バネ爪部２５２ａは、光源ユニット２００の長手方向（Ｘ軸方向）となるバネ本体部２５２の長手方向（Ｘ軸方向）に沿って複数個形成されている。複数のバネ爪部２５２ａは、互いに間を設けて形成されており、複数のバネ爪部２５２ａは、それぞれ別々に変形するように設けられている。なお、複数のバネ爪部２５２ａにおける複数とは、少なくとも２つ以上である。バネ２５０は、隣り合うバネ爪部２５２ａの間に開口部２５２ａ１が形成されている。バネ爪部２５２ａは、バネ本体部２５２の短手方向（Ｙ軸方向）に弾性変形自在に設けられている。バネ爪部２５２ａは、バネ底面部２５２ｂの両端部に形成され、光源ユニット２００が照明器具１００に取り付けられ又は取り外される光源ユニット２００の着脱の際に、光源ユニット２００の短手方向（Ｙ軸方向）に弾性変形する。バネ爪部２５２ａは、１つの山を形成する板バネである。なお、バネ爪部２５２ａの形状は、１つの山を形成する板バネに限定するものではなく、バネ本体部２５２の短手方向（Ｙ軸方向）に弾性変形自在に構成される形状であれば、例えば、複数の山から構成される板バネ等、他の形状であってもよい。バネ爪部２５２ａは、バネ底面部２５２ｂに対する上下方向（Ｚ軸方向）において、バネ引掛け部２５１が傾斜する側に凸となるように形成されている。すなわち、バネ２５０は、バネ爪部２５２ａが、バネ底面部２５２ｂの一方の面側に凸となるようにＶ字状に形成されている。なお、バネ２５０は、光源ユニット２００が照明器具１００に取り付けられた場合に、照明器具１００の内部において、バネ爪部２５２ａがバネ底面部２５２ｂより底部１１１側に突出しないように形成されている。
【００６６】
バネ係合部２５２ｃは、バネ本体部２５２の短手方向（Ｙ軸方向）において、バネ爪部２５２ａの先端部に形成されている。バネ係合部２５２ｃは、バネ爪部２５２ａの先端部から、バネ底面部２５２ｂに対して、Ｖ字状のバネ爪部２５２ａが凸となる側に延びている。バネ係合部２５２ｃは、バネ爪部２５２ａの先端部の板と共にバネ爪部２５２ａとは逆の側に凸となるようにＶ字状に形成されている。バネ係合部２５２ｃは、バネ本体部２５２の短手方向（Ｙ軸方向）の先端部において、バネ爪部２５２ｃ１が湾曲している。そのため、バネ係合部２５２ｃは、光源ユニット２００が照明器具１００に取り付けられた場合に、側面部１１２と対向する部分が円弧状に形成されている。バネ係合部２５２ｃは、バネ本体部２５２の長手方向（Ｘ軸方向）の垂直断面において、鉤状、あるいは、略Ｌ字形状に形成されている。バネ係合部２５２ｃは、複数のバネ爪部２５２ａと一体に形成され、複数のバネ爪部２５２ａにわたってバネ本体部２５２の長手方向（Ｘ軸方向）に延びるように形成されている。バネ係合部２５２ｃは、バネ爪部２５２ａと共に板バネを構成する。バネ係合部２５２ｃ及びバネ爪部２５２ａは、バネ本体部２５２の長手方向（Ｘ軸方向）の垂直断面において、略Ｎ字形状に形成されている。
【００６７】
バネ底面部２５２ｂは、矩形の平板状に形成されている。光源ユニット２００の長手方向（Ｘ軸方向）と、バネ本体部２５２の長手方向（Ｘ軸方向）とは同一方向である。バネ底面部２５２ｂは、光源ユニット２００において、第二板部２２３と対向し、第二板部２２３と間を設けるように配置される。これは、バネ爪部２５２ａの上下方向（Ｚ軸方向）の長さを長くするためであり、このような構成にすることで、バネ爪部２５２ａを弾性変形し易くすることができ、光源ユニット２００の照明器具１００に対する着脱を容易にすることができる。なお、バネ２５０は、バネ本体部２５２のバネ底面部２５２ｂがフレーム２２０の第二板部２２３から離れるように形成されているが、バネ底面部２５２ｂとフレーム２２０の第二板部２２３との間に間隔を設けず、光源ユニット２００の高さを薄くしてもよい。このとき、凸部１１４に切り欠きを設け、バネ係合部２５２ｃは凸部１１４の切り欠きに嵌るようにしてもよい。
【００６８】
バネ固定部２５３は、バネ本体部２５２の長手方向（Ｘ軸方向）において、バネ引掛け部２５１が突出している方向の反対側のバネ底面部２５２ｂから突出し、バネ底面部２５２ｂに対して斜めに形成されている。バネ固定部２５３は、バネ固定端部２５３ａと、バネ当接部２５３ｂと、バネ端板部２５３ｃとを有する。バネ固定部２５３は、バネ固定部２５３の突出方向において、バネ底面部２５２ｂから、バネ端板部２５３ｃ、バネ当接部２５３ｂ、バネ固定端部２５３ａの順に形成されている。
【００６９】
バネ固定端部２５３ａは、バネ固定部２５３の突出方向の先端部に設けられており、バネ固定端部２５３ａの先端部は、バネ底面部２５２ｂの仮想の延長面に対して離れる方向に向かうように形成されている。バネ当接部２５３ｂは、平板状に形成されており、光源ユニット２００において、第二板部２２３と当接する。バネ端板部２５３ｃは、バネ当接部２５３ｂと、バネ底面部２５２ｂとの間に設けられている矩形の板状の部材である。バネ端板部２５３ｃは、バネ底面部２５２ｂに対して斜めに形成されている。バネ端板部２５３ｃは、光源ユニット２００において、バネ底面部２５２ｂと第二板部２２３との間に空間を形成する役割を果たす。
【００７０】
バネ固定部２５３は、バネ当接部２５３ｂがフレーム２２０の長手方向（Ｘ軸方向）の端面と当接して、ネジ固定具２６０が、エンドキャップ２４０を介してフレーム固定孔２２３ｂに固定されることで、エンドキャップ２４０と共にフレーム２２０に固定される。バネ固定部２５３は、光源ユニット２００の端部２００ａにおいて、フレーム２２０の端部２２１ｔとエンドキャップ２４０とに挟まれて固定されている。
【００７１】
［光源ユニット２００の組立工程］
図１３は、図９のエンドキャップ２４０及びバネ２５０が分離した状態の、光源ユニット２００の組み立てに関する参考図である。図１４は、図１３のバネ２５０が取り付けられた状態の、光源ユニット２００の組み立てに関する参考図である。図１５は、図１３のエンドキャップ２４０及びバネ２５０が取り付けられた状態の、光源ユニット２００の組み立てに関する参考図である。図１６は、図１３の光源ユニット２００にカバー２３０が取り付けられた状態の、光源ユニット２００の組み立てに関する参考図である。図１７は、図１３の光源ユニット２００が組み立てられた状態の参考図である。図１８は、図９のエンドキャップ２４０及びバネ２５０が分離した状態の、光源ユニット２００の組み立てに関する参考図である。図１９は、図１８のバネ２５０が取り付けられた状態の、光源ユニット２００の組み立てに関する参考図である。図２０は、図１９のバネ２５０を取り付ける際の、光源ユニット２００の組み立てに関する参考図である。次に、光源ユニット２００の、フレーム２２０へのカバー２３０、エンドキャップ２４０及びバネ２５０の取り付け方法に関して図１３〜図２０を用いて説明を行う。
【００７２】
図１３及び図１８に示すように、光源ユニット２００は、フレーム２２０に発光モジュール２１０が取り付けられた状態で、バネ２５０とエンドキャップ２４０の取り付けが行われる。作業者は、まず、フレーム２２０にバネ２５０を挿し込む。この際、作業者は、図１３及び図１８に示すように、バネ２５０をフレーム２２０の長手方向（Ｘ軸方向）の端部２２１ｔから挿し込み、また、フレーム２２０の端部２２１ｔに対して、バネ２５０をバネ引掛け部２５１側から挿し込む。なお、この際、作業者は、図２０に示すように、バネ２５０をフレーム２２０に対して斜めに配置して挿し込むと挿し込みやすい。
【００７３】
次に、図１４及び図１９に示すように、作業者は、バネ２５０は、バネ固定部２５３がフレーム２２０の長手方向（Ｘ軸方向）の端部２２１ｔに当接するまでバネ２５０を挿し込む。バネ２５０をフレーム２２０に取り付け後は、作業者は、図１４に示すように、光源側電線２１３をフレーム２２０の長手方向（Ｘ軸方向）に沿って、フレーム２２０の下側に配置しておくとよい。
【００７４】
次に、図１５、図１８及び図１９に示すように、作業者は、バネ２５０のバネ固定部２５３をフレームキャップ部２４４とフレーム２２０の端面とで挟んで、エンドキャップ２４０をフレーム２２０に嵌め込む。このとき、ネジ固定具２６０がキャップ側固定孔２４４ａを介してフレーム固定孔２２３ｂに係合されることで、エンドキャップ２４０はフレーム２２０に固定される。さらに、このとき光源側電線２１３は、電線ガイド部２４３ｄに沿って、図１４に示す電線切り欠き部２４３ｂを介して外側に配置される。
【００７５】
次に、図１９及び図２０に示すように、作業者は、カバー２３０をフレーム２２０の長手方向（Ｘ軸方向）の他端側からカバー爪部２３３をフレーム２２０のカバー保持部２２１ｂに挿入し、カバー２３０をフレーム２２０に取り付ける。この際、作業者は、主カバー部２３１及びカバー側面部２３２の内側面が、エンドキャップ２４０の第一突設部２４２と重なるまでカバー２３０をフレーム２２０に挿し込んだ状態で摺動させる。
【００７６】
その後、作業者は、フレーム２２０の他端側にもエンドキャップ２４０及びバネ２５０を、図１３〜図１６に示すように取り付けることで、光源ユニット２００が組み立てられる。なお、配線に関しては、光源側電線２１３がフレーム２２０の一端側にしかないので説明を省略する。
【００７７】
図２１は、図１７の光源ユニット２００の、長手方向（Ｘ軸方向）の端部２００ａの側面図である。組み立てられた光源ユニット２００は、光源ユニット２００の長手方向（Ｘ軸方向）において、ネジ固定具２６０の端部（頭部）が、エンドキャップ２４０のフレームキャップ部２４４より突出するように配設されている。なお、光源ユニット２００を組み立てる順番に関しては、カバー２３０をフレーム２２０の取り付けた後に、エンドキャップ２４０をフレーム２２０の両端に取り付けてもよい。図２１に示すように、光源ユニット２００は、光源ユニット２００の長手方向（Ｘ軸方向）において、カバー２３０とカバーキャップ部２４１との間に隙間が形成されているが、光源ユニット２００は、カバー２３０とカバーキャップ部２４１とが当接してもよい。
【００７８】
（エンドキャップ２４０の変形例）
図２２は、図９のエンドキャップ２４０の変形例の外側から見た斜視図である。図２３は、図２２のエンドキャップ１２４０の内側から見た斜視図である。図２２及び図２３を用いてエンドキャップ２４０の変形例であるエンドキャップ１２４０について説明する。なお、以下のエンドキャップ１２４０の説明では、エンドキャップ２４０と同一の部分は同一の符号を付して説明を省略し、エンドキャップ２４０との相違点を中心に説明する。
【００７９】
エンドキャップ１２４０は、カバーキャップ部２４１と、第一突設部１２４２と、第二突設部２４３と、フレームキャップ部２４４と、第一支持部２４５と、第二支持部２４６と、を有する。
【００８０】
第一突設部１２４２は、光源ユニット２００において、カバー２３０の内側面部２３０ａに当接するように、カバーキャップ部２４１から突出して設けられる。より詳細には、第一突設部１２４２は、光源ユニット２００において、カバー２３０の主カバー部２３１及びカバー側面部２３２の内側面部２３０ａと、第二カバー保持部２２１ｃの一部と当接するように設けられている。第一突設部１２４２は、光源ユニット２００において、主カバー部２３１の内側面部２３０ａと当接する天板部１２４２ａと、カバー側面部２３２の内側面部２３０ａと当接する側板部１２４２ｂとを有する。第一突設部１２４２は、天板部１２４２ａと、対向する２つの側板部１２４２ｂによって、カバーキャップ部２４１から突出する壁部を構成する。第一突設部１２４２は、光源ユニット２００において、カバー２３０の端部２３０ｔとカバーキャップ部２４１との間を塞ぐものである。第一突設部１２４２は、カバー２３０が摺動自在に当接している。
【００８１】
第一突設部１２４２は、複数の異なる透過性の材料で形成されてもよい。より詳細には、第一突設部１２４２は、光源ユニット２００の長手方向（Ｘ軸方向）において、第一突設部１２４２の延びる方向の途中から異なる透過性の材料で形成されてもよい。例えば、第一突設部１２４２は、図２２及び図２３の点線Ｍで区分けされた領域Ａ及び領域Ｂで示す部分を、異なる透過性の材料にしてもよい。第一突設部１２４２は、突出方向において、先端部側である領域Ａと基部側である領域Ｂとが透過性が異なるように形成されている。第一突設部１２４２の途中から透過性の高い材料にすることで、第一突設部１２４２は、カバー２３０と重ならない部分を透過性の低い材料にすることができる。例えば、第一突設部１２４２の突出方向の先端側を領域Ａとし、第一突設部１２４２の突出方向の基部側であるカバーキャップ部２４１側を領域Ｂとする。この領域Ａは、光源ユニット２００においてカバー２３０と重なる部分であり、領域Ｂは、光源ユニット２００においてカバー２３０と重ならない部分であるとする。そして、第一突設部１２４２は、領域Ａの部分を透過性の高い材料で形成し、領域Ｂの部分を透過性の低い材料で形成する。第一突設部１２４２は、例えば、領域Ａの部分を透明に形成し、領域Ｂの部分をカバー２３０と略同等の透過性を有する乳半に形成する。第一突設部１２４２は、領域Ａの部分を透明に形成し、領域Ｂの部分をカバー２３０と略同等の透過性を有する乳半に形成することで、カバー２３０と重なる部分の第一突設部１２４２の光の透過性がよくなる。そのため、光源ユニット２００は、全体として光ムラを抑制することができる。このエンドキャップ１２４０は、二色成形で形成することができる。
【００８２】
なお、第一突設部１２４２は、領域Ａの部分を透過性の高い材料で形成し、領域Ｂの部分を透過性の低い材料で形成する構成に限定されない。第一突設部１２４２は、領域Ａの部分を透過性の低い材料で形成し、領域Ｂの部分を透過性の高い材料で形成してもよい。第一突設部１２４２は、例えば、領域Ｂの部分を透明に形成し、領域Ａの部分をカバー２３０と略同等の透過性を有する乳半に形成してもよい。この場合、第一突設部１２４２は、カバー２３０と重ならない領域Ｂの部分が透明であるため、領域Ｂの部分から照射される光量を多くすることができ、当該部分を明るく見せることができる。
【００８３】
図２４は、図９のエンドキャップ２４０の、他の変形例のエンドキャップ２２４０とカバー２３０との組み合わせ部分の拡大図である。図２４を用いてエンドキャップ２４０の変形例であるエンドキャップ２２４０について説明する。なお、以下のエンドキャップ２２４０の説明では、エンドキャップ２４０と同一の部分は同一の符号を付して説明を省略し、エンドキャップ２４０との相違点を中心に説明する。
【００８４】
エンドキャップ２２４０は、カバーキャップ部２４１と、第一突設部２２４２と、第二突設部２４３と、フレームキャップ部２４４と、第一支持部２４５と、第二支持部２４６と、を有する。
【００８５】
第一突設部２２４２は、光源ユニット２００において、カバー２３０の内側面部２３０ａに当接するように、カバーキャップ部２４１から突出して設けられる。より詳細には、第一突設部２２４２は、光源ユニット２００において、カバー２３０の主カバー部２３１及びカバー側面部２３２の内側面部２３０ａと、第二カバー保持部２２１ｃの一部と当接するように設けられている。第一突設部２２４２は、光源ユニット２００において、主カバー部２３１の内側面部２３０ａと当接する天板部２４２ａと、カバー側面部２３２の内側面部２３０ａと当接する側板部２４２ｂとを有する。第一突設部２２４２は、天板部２４２ａと、対向する２つの側板部２４２ｂによって、カバーキャップ部２４１から突出する壁部を構成する。第一突設部２２４２は、光源ユニット２００において、カバー２３０の端部２３０ｔとカバーキャップ部２４１との間を塞ぐものである。第一突設部２２４２は、カバー２３０が摺動自在に当接している。
【００８６】
エンドキャップ２２４０は、図２４のＲ部に示すように、エンドキャップ２２４０の第一突設部２２４２の端部がＲ状に形成されている。第一突設部２２４２の端部をＲ状にすることで、主カバー部２３１及びカバー側面部２３２におけるエンドキャップ２２４０と重なっている部分と重なっていない部分との境界線をぼんやりさせ、ぼやかし、際立たせない、あるいは、抑制することができる。
【００８７】
［光源ユニット２００の取り付け工程］
図２５は、図２の光源ユニット２００と照明器具１００の器具本体１１０とが分離した状態の、光源ユニット２００の照明器具１００への取り付けに関する参考図である。図２６は、図２５の光源ユニット２００と照明器具１００の器具本体１１０とが接触した状態の、光源ユニット２００の照明器具１００への取り付けに関する参考図である。図２７は、図２６の光源ユニット２００と照明器具１００の器具本体１１０とが係合した状態の、光源ユニット２００の照明器具１００への取り付けに関する参考図である。図２５〜図２７を参照して、光源ユニット２００の照明器具１００への取り付け工程に関して説明を行う。
【００８８】
図２５は、照明装置１の短手方向（Ｙ軸方向）の断面図であり、照明器具１００と光源ユニット２００が別々の状態である。図２６は、光源ユニット２００が照明器具１００の本体開口部１１３に挿入されている状態である。図２５に示すように、照明装置１は、対応する２つの凸部１１４の最も近い部分の距離Ｌ１は、バネ爪部２５２ａの自然長における対向する２つのバネ係合部２５２ｃの最も遠い部分の距離Ｌ２よりも小さい。光源ユニット２００は、バネ２５０のバネ係合部２５２ｃの外側が器具本体１１０の凸部１１４に当接しており、光源ユニット２００が器具本体１１０押し込まれることで、バネ係合部２５２ｃが凸部１１４に対して摺動する。この際、作業者が、光源ユニット２００を器具本体１１０の内側に押し込んでいくと、バネ係合部２５２ｃが凸部１１４に押され、バネ爪部２５２ａが照明器具１００の短手方向（Ｙ軸方向）における内側に弾性変形する。
【００８９】
図２７は、光源ユニット２００が照明器具１００に取り付けられた状態である。光源ユニット２００は、第一板部２２１が凸部１１４の上側端部に当接するまで押し込まれる。すなわち、光源ユニット２００は、フレーム２２０が照明器具１００内に挿し込まれる場合に、バネ係合部２５２ｃが凸部１１４の下方に配置されると第一板部２２１が側面部１１２の先端部に位置する凸部１１４と当接する。このとき、バネ係合部２５２ｃは凸部１１４との摺動を終え、バネ爪部２５２ａの弾性変形は解除されて凸部１１４が第一板部２２１とバネ係合部２５２ｃとの間に嵌め込まれるように収納される。そして、バネ２５０は、光源ユニット２００が照明器具１００に取り付けられた場合に、バネ係合部２５２ｃが凸部１１４と係合する。このようにして、光源ユニット２００は、側面部１１２に挟持されるように照明器具１００に取り付けられる。図２７に示すように、光源ユニット２００が、照明器具１００に取り付けられた状態において、バネ爪部２５２ｃ１は凸部１１４の下側に当接している。なお、実際の使用状態においては、光源ユニット２００が、照明器具１００に取り付けられた状態において、バネ爪部２５２ｃ１は凸部１１４の上側に当接している。バネ爪部２５２ｃ１は、折り曲げられて形成されている凸部１１４の厚みによって、バネ爪部２５２ｃ１は凸部１１４から外れにくくなっている。
【００９０】
光源ユニット２００を照明器具１００から取り外すときは、図２５〜図２７の逆の手順で作業を行う。フレーム２２０は、照明装置１の短手方向（Ｙ軸方向）において、第一板部２２１の長さが、対向する２つの側面部１１２の外側の間の距離よりも大きく形成されてもよい。この場合、作業者は、側面部１１２より外側に突き出す第一板部２２１を把持部として把持することで、光源ユニット２００を照明器具１００から引っ張りやすく、照明器具１００から外しやすい。
【００９１】
また、図２１に示すように、光源ユニット２００の長手方向（Ｘ軸方向）の端部２００ａは、金属部材であるネジ固定具２６０の端部（頭部）が、エンドキャップ２４０（樹脂部材）より突出している。そのため、光源ユニット２００を照明器具１００に取り付けするときに、エンドキャップ２４０よりも先にネジ固定具２６０が照明器具１００の端板部１５０と接触する。よって、照明装置１は、樹脂部材であるエンドキャップ２４０は、端板部１５０との接触を回避することができ、樹脂部材であるエンドキャップ２４０の変形、もしくは、破損を防ぐことができる。
【００９２】
［連結部材３００］
図２８は、本発明の実施の形態に係る照明装置１の連結部材３００の斜視図である。図２９は、図２８の連結部材３００の正面図である。図３０は、図２９の連結部材３００の側面図である。図２８〜図３０を参照して、連結部材３００について説明する。
【００９３】
連結部材３００は、複数の照明器具１００を連結させるものである。連結部材３００は、隣り合う照明器具１００の、それぞれの端板部１５０を挟んで保持することで、隣り合う照明器具１００を固定する。連結部材３００は、端板部１５０に対して、光源ユニット２００を器具本体１１０に挿入する方向に挿し込まれることで隣り合う照明器具１００のそれぞれの端板部１５０に取り付けられる。また、連結部材３００は、端板部１５０に対して、光源ユニット２００を器具本体１１０に挿入する方向に挿し込まれることで、隣り合う照明器具１００のそれぞれの端板部１５０を挟んで保持し、隣り合う照明器具１００同士を固定する。
【００９４】
連結部材３００は、照明器具１００の端板本体部１５１から端板蓋部１５１ａがはずされ、端板部１５０の端板本体部１５１に形成された端板電線穴１５１ｂに取り付けられる。連結部材３００は、Ｕ字状の連結本体部３１０を有する。また、連結部材３００は、連結部材３００が照明器具１００に取り付けられた場合の照明器具１００の長手方向において、連結本体部３１０の一端側に複数設けられた第一爪部３２０と、連結本体部３１０の他端側に複数設けられた第二爪部３３０とを備えている。連結部材３００が、照明器具１００に取り付けられた場合に、隣り合う照明器具１００のそれぞれの端板部１５０は、連結本体部３１０と当接し、第一爪部３２０と第二爪部３３０との間に配置される。連結部材３００が、当該構成により端板電線穴１５１ｂを覆うことで、例えば、端板電線穴１５１ｂが、照明器具１００に使用する電線等の配線に利用された場合に、端板電線穴１５１ｂの縁部から電線を保護することができる。また、連結部材３００は、連結本体部３１０のＵ字形状の先端部３１０ａに配置された第一爪部３２０及び第二爪部３３０が、それぞれ本体係合部３５０を有している。
【００９５】
連結本体部３１０は、断面Ｕ字状の部材であり、Ｕ字形状が延びるように設けられた部材である。連結本体部３１０の、Ｕ字形状に延びる方向において、第一爪部３２０は一端側に形成された板片であり、第二爪部３３０は他端側に形成された板片である。第一爪部３２０及び第二爪部３３０は、Ｕ字形状に形成された連結本体部３１０の外周側に形成されており、連結本体部３１０に対して略垂直方向に突出するように形成されている。第一爪部３２０と第二爪部３３０との間には、端板本体部１５１が挿し込まれる器具用スリット部３４０が形成されているともに、第一爪部３２０と第二爪部３３０とは互いに対向しないように互い違いに配置されている。図２８〜図２９に示すように、本体係合部３５０は、第一爪部３２０と第二爪部３３０の突出方向の先端部において、上方向に突出している。すなわち、本体係合部３５０は、第一爪部３２０と第二爪部３３０の突出方向の先端部において、連結本体部３１０の先端部３１０ａの向かう方向と、略平行な方向に突出している。
【００９６】
［連結部材３００の取付工程］
図３１は、図２９の連結部材３００の照明器具１００への取り付けに関する参考図である。図３２は、図３１の連結部材３００が照明器具１００に取り付けられた状態を示す参考図である。図３１は、連結部材３００が照明器具１００に取り付けられる前の状態を示している。作業者は、照明装置１を接続させるには、照明器具１００の端板本体部１５１から端板蓋部１５１ａを外し、端板部１５０を密着させて端板電線穴１５１ｂが一致するように器具本体１１０を配置する。そして、作業者は、端板電線穴１５１ｂを形成する端板本体部１５１の縁部に沿って、矢印の方向に連結部材３００を挿し込む。
【００９７】
図３２は、図３１の状態から連結部材３００を矢印の方向へ押し込んで連結部材３００を照明器具１００に取り付けた状態である。連結部材３００が照明器具１００に取り付けられると、２つの照明装置１の端板本体部１５１が当接した状態で、第一爪部３２０と第二爪部３３０の間に形成された器具用スリット部３４０に挿し込まれている。すなわち、連結部材３００が照明器具１００に取り付けられると、２つの照明装置１の端板本体部１５１が当接した状態で第一爪部３２０と第二爪部３３０との間に配置される。連結部材３００が照明器具１００に取り付けられると、本体係合部３５０は、器具本体１１０の凸部１１４と係合する。すなわち、連結部材３００が照明器具１００に取り付けられると、本体係合部３５０の突出方向に凸部１１４が配置され、凸部１１４と係合する。
【００９８】
［連結部材３００の作用］
第一爪部３２０及び第二爪部３３０が、仮に互いに対向するように立ち上がった爪部だと器具用スリット部３４０に端板本体部１５１が確実に挿し込まれているか否か確認し難い。第一爪部３２０と第二爪部３３０は互いに対向しないように互い違いに配置されていることで、器具用スリット部３４０と端板電線穴１５１ｂの縁部とを確認しながら連結部材３００を挿し込むことができ、作業を容易にすることができる。また、第一爪部３２０と第二爪部３３０とを互い違いで形成することで、Ｕ字形状に延びる方向へ可動する成形金型で成形することができる。また、連結部材３００が照明器具１００に取り付けられると、２つの照明装置１の端板本体部１５１が、第一爪部３２０と第二爪部３３０とによって挟まれており、２つの照明装置１は、互いに長手方向（Ｘ軸方向）に移動することが規制される。また、連結部材３００が照明器具１００に取り付けられると、Ｕ字形状に形成された連結本体部３１０によって、端板本体部１５１の移動が規制されることで、２つの照明装置１は、短手方向（Ｙ軸方向）の移動が規制される。また、本体係合部３５０は、第一爪部３２０と第二爪部３３０の突出方向の先端部において、連結本体部３１０の先端部３１０ａの向かう方向と、略平行な方向に突出している。この本体係合部３５０は、照明装置１の端板部１５０に取り付けられると、凸部１１４に引っ掛かり、連結部材３００が照明器具１００から外れるのを防いでいる。
【００９９】
［連結部材３００の変形例］
図３３は、図２８の連結部材３００の変形例の斜視図である。図３３を用いて連結部材３００の変形例である連結部材１３００について説明する。なお、以下の連結部材１３００の説明では、連結部材３００と同一の部分は同一の符号を付して説明を省略し、連結部材３００との相違点を中心に説明する。
【０１００】
図３３に示すように、連結部材１３００は、連結本体部３１０の先端部３１０ａにおいて、本体係合部３５０とは反対側に電線用爪部３６０を有している。電線用爪部３６０は、連結本体部３１０の両方の先端部３１０ａの内周側において、互いに向かい合うように突出している。この電線用爪部３６０は、隣接する照明器具１００から電線を引き込み、連結本体部３１０の内側に配置したときに、電線が抜けるのを抑制するものである。
【０１０１】
図３４は、図２８の連結部材３００の他の変形例の正面図である。図３５は、図３４の連結部材２３００におけるＣ部の部分拡大図である。図３４及び図３５を用いて連結部材３００の変形例である連結部材２３００について説明する。なお、以下の連結部材２３００の説明では、連結部材３００及び連結部材１３００と同一の部分は同一の符号を付して説明を省略し、連結部材３００との相違点を中心に説明する。
【０１０２】
連結本体部３１０のＵ字形状の先端部３１０ａに配置された第一爪部３２０及び第二爪部３３０は、それぞれ本体係合部１３５０を有している。本体係合部１３５０は、第一爪部３２０と第二爪部３３０の突出方向の先端部において、上方向に突出している。すなわち、本体係合部１３５０は、第一爪部３２０と第二爪部３３０の突出方向の先端部において、連結本体部３１０の先端部３１０ａの向かう方向と、略平行な方向に突出している。連結部材２３００は、図３５に示すように、本体係合部１３５０の突出方向の端部１３５０ａにおいて、本体係合部１３５０の内側端部３５１がＲ状に形成され、外側端部３５２が略直角状に形成されるとよい。なお、照明装置１の短手方向（Ｙ軸方向）において、内側端部３５１は照明装置１の内側、外側端部３５２は照明装置１の外側に面するように配置される。また、内側端部３５１がＲ状に形成されるとは、内側端部３５１の角が面取りされている状態のことである。
【０１０３】
［連結部材２３００の作用］
このように内側端部３５１をＲ状にすることで、本体開口部１１３を介して照明器具１００の外部から内部へ電線を連結本体部３１０に押し込むときに電線を挿入しやすくなる。また、外側端部３５２を略直角状にすることで、本体係合部１３５０が凸部１１４に引っ掛かり易くなり、連結部材２３００が照明器具１００から外れにくくなる。
【０１０４】
［器具側バネ１６０］
図３６は、本発明の実施の形態に係る照明装置１の器具側バネ１６０の斜視図である。図３６を参照して、実施の形態に係る照明装置１のオプション部品である器具側バネ１６０について説明する。照明装置１が長尺に形成されている場合は、光源ユニット２００の中央付近が撓んでしまうおそれがある。そのようなときは、照明装置１に器具側バネ１６０を取り付けるとよい。器具側バネ１６０は、弾性体で形成されており、光源ユニット２００を器具本体１１０に固定する。器具側バネ１６０は、器具本体１１０の長手方向（Ｘ軸方向）の略中間付近の位置に対に設けられている。すなわち、器具側バネ１６０は、照明器具１００の長手方向（Ｘ軸方向）の端部に対して中央側に配置されている。また、器具側バネ１６０は、器具本体１１０の長手方向（Ｘ軸方向）において電源装置１２０をよけるような位置に配置される。
【０１０５】
器具側バネ１６０は、図３６に示すように、線状に形成されたバネ接続部１６０ｂと、バネ接続部１６０ｂと一体に形成され、バネ接続部１６０ｂの両端部に位置する２つの係合バネ部１６０ａと、を有している。
【０１０６】
係合バネ部１６０ａは、略Ｖ字状に形成されており、直線状に形成されたバネ延出部１６１と緩やかに湾曲したバネ腕部１６２とが、折り曲げられたバネ湾曲部１６３を介して一体に形成されている。バネ延出部１６１は、一端がバネ湾曲部１６３と連続しており、他端の先端部には凸部１１４と係合するバネ係合部１６１ａを有している。バネ腕部１６２は、光源ユニット２００と器具側バネ１６０の中央部１６５で係合する部分である。バネ係合部１６１ａは、バネ延出部１６１と一体に形成された部分であり、線材が曲げられて円形状に形成されている部分である。バネ係合部１６１ａは、器具本体１１０の２つの側面部１１２の前記凸部１１４と、器具側バネ１６０の端部でそれぞれ係合する部分である。
【０１０７】
係合バネ部１６０ａは、また、バネ接続部１６０ｂと接続する端部においてバネ絞り部１６０ａ１を有する。対になる２つのバネ絞り部１６０ａ１は、バネ腕部１６２からバネ接続部１６０ｂに向かって互いの距離が広がるように傾斜している。換言すれば、対になる２つのバネ絞り部１６０ａ１は、バネ接続部１６０ｂからバネ腕部１６２に向かって互いの距離が狭まるように傾斜している。バネ絞り部１６０ａ１は、傾斜方向とは反対側に折曲がり、バネ腕部１６２と繋がるバネ折曲部１６０ａ２を有する。バネ折曲部１６０ａ２は、略Ｌ字状に折り曲げて形成される。器具側バネ１６０は、対になるバネ折曲部１６０ａ２が、互いに向かい合う方向に凸となるように形成されている。
【０１０８】
器具側バネ１６０は、照明装置１の短手方向（Ｙ軸方向）において、バネ接続部１６０ｂの延びる方向の長さよりも、２つのバネ折曲部１６０ａ２の間の距離が短くなるように、バネ絞り部１６０ａ１が傾斜している。器具側バネ１６０は、照明装置１の短手方向（Ｙ軸方向）において、バネ接続部１６０ｂの延びる方向の長さよりも、２つのバネ湾曲部１６３の間の距離が長くなるように、バネ腕部１６２が傾斜している。また、器具側バネ１６０は、２つのバネ湾曲部１６３の間の距離よりも、２つのバネ係合部１６１ａの間の距離が長くなるようにバネ延出部１６１が傾斜している。すなわち、バネ腕部１６２は、バネ延出部１６１の下側端部から斜め上方向に突出する。
【０１０９】
［光源ユニット２００の取り付け工程］
図３７は、図３６の器具側バネ１６０と光源ユニット２００とが接触した状態の、光源ユニット２００の照明器具１００への取り付けに関する参考図である。図３８は、図３７の器具側バネ１６０と光源ユニット２００とが係合した状態の、光源ユニット２００の照明器具１００への取り付けに関する参考図である。図３７及び図３８を参照して、器具側バネ１６０を用いた、光源ユニット２００の照明器具１００への取り付け工程について説明する。
【０１１０】
作業者は、まず、照明器具１００の器具本体１１０の内部に器具側バネ１６０を設置する。作業者は、バネ係合部１６１ａを凸部１１４に摺動させて、器具本体１１０内に器具側バネ１６０を挿入する。この際、バネ延出部１６１は、凸部１１４と当接する。また、バネ腕部１６２及びバネ延出部１６１が、照明器具１００の短手方向（Ｙ軸方向）における内側に弾性変形し、バネ係合部１６１ａが凸部１１４を通過するまで押し込まれる。器具側バネ１６０は、バネ係合部１６１ａが凸部１１４を通過すると、バネ腕部１６２及びバネ延出部１６１の弾性変形は解除されてバネ係合部１６１ａが凸部１１４に引っ掛かる。
【０１１１】
なお、バネ係合部１６１ａと凸部１１４との係合を更に確実なものにするために、図６に示す第一切欠部１１４ｂように、凸部１１４の一部に凸部１１４を切り欠いたバネ取付部１１５を形成してもよい。そして、バネ係合部１６１ａがバネ取付部１１５に挿入されて固定されるようにしてもよい。器具側バネ１６０が、器具本体１１０に設置されると、器具側バネ１６０は、バネ取付部１１５に係合すると共に凸部１１４から器具本体１１０の底部１１１側にバネ延出部１６１が延出する。そして、バネ延出部１６１の底部１１１側の端部からフレーム２２０の第二板部２２３に向かってバネ腕部１６２が傾斜して配置される。
【０１１２】
器具側バネ１６０は、バネ延出部１６１が凸部１１４から器具本体１１０の底部１１１側に延出していることで、バネ腕部１６２の弾性変形の支点を器具本体１１０の底部１１１側にすることができる。そのため、バネ腕部１６２は、長さを確保することができると共に弾性変形に対する側面部１１２による抵抗成分を減少させることができ、バネ腕部１６２が弾性変形する際に弾性変形をしやすくできる。また、器具側バネ１６０は、器具本体１１０の凸部１１４に設けられていることで、器具本体１１０の内側の空間を有効に活用することができる。
【０１１３】
作業者は、光源ユニット２００を照明器具１００に取り付けるとき、図３７に示すように、フレーム２２０の第二板部２２３の端部を、器具側バネ１６０のバネ絞り部１６０ａ１に当接させる。作業者は、フレーム２２０の第二板部２２３の端部がバネ絞り部１６０ａ１に当接した状態から、光源ユニット２００を器具本体１１０に押し込む。すると、図３８に示すように、フレーム２２０の第二板部２２３の端部がバネ絞り部１６０ａ１の傾斜に沿ってバネ絞り部１６０ａ１を摺動する。この際、バネ腕部１６２が、照明器具１００の短手方向（Ｙ軸方向）における外側に弾性変形し、第一板部２２１が凸部１１４の上側端部に当接するまで押し込まれる。すなわち、光源ユニット２００が、照明器具１００に取り付けられる際に、第二板部２２３がバネ絞り部１６０ａ１と当接して摺動し、バネ腕部１６２が照明器具１００の短手方向（Ｙ軸方向）に弾性変形する。その後、光源ユニット２００は、第二板部２２３の端部がバネ絞り部１６０ａ１に対する摺動を終え、バネ腕部１６２の弾性変形は解除されて第二板部２２３がバネ腕部１６２の端部に引っ掛かり保持される。バネ腕部１６２は、先端がフレーム２２０の第二板部２２３と当接することで、光源ユニット２００を保持することができる。したがって、器具側バネ１６０は、端部であるバネ係合部１６１ａが２つの側面部１１２の凸部１１４とそれぞれ係合する。また、器具側バネ１６０は、両方の端部であるバネ係合部１６１ａの間に位置する中央部１６５がバネ腕部１６２により構成され、バネ腕部１６２が光源ユニット２００の第二板部２２３と係合する。光源ユニット２００が、照明器具１００に取り付けられた状態において、第二板部２２３がバネ腕部１６２によって挟まれて保持されている。
【０１１４】
［器具側バネ１６０の作用］
照明装置１は、長手方向（Ｘ軸方向）の両方の端部２００ａでバネ２５０により光源ユニット２００が照明器具１００に取り付けられると共に、長手方向（Ｘ軸方向）の略中央側で器具側バネ１６０により光源ユニット２００が照明器具１００に保持される。その結果、光源ユニット２００は、撓むことなく照明器具１００に固定される。
【０１１５】
なお、照明装置１は、器具側バネ１６０を、光源ユニット２００の中間部の撓み防止のために用いている。しかし、照明装置１は、例えば、板バネで形成する等、器具側バネ１６０の保持力を向上させると共に、器具側バネ１６０を複数設けることで、器具側バネ１６０だけで光源ユニット２００を保持するようにしてもよい。
【０１１６】
また、器具側バネ１６０は、バネ延出部１６１が側面部１１２又は電源装置１２０と当接することで、光源ユニット２００が押し込まれる力に対しての反力となりバネ腕部１６２によりフレーム２２０の第二板部２２３を挟むことができる。バネ延出部１６１を、側面部１１２又は電源装置１２０と当接させることで、バネそのものの剛性をあげることなくフレーム２２０を保持することができる。
【０１１７】
器具側バネ１６０は、例えば、ネジ等の固定具で固定する等、凸部１１４への取り付けも強固にしなくてもよい。器具側バネ１６０の場合は端部を、凸部１１４の内側において凸部１１４の一部切り欠いたバネ取付部１１５に長手方向（Ｘ軸方向）に嵌め込まれている。
【０１１８】
器具側バネ１６０は、バネ２５０よりも弾性変形しやすい。照明装置１は、器具側バネ１６０が、バネ２５０よりも弾性変形しやすいことで、作業者が光源ユニット２００を照明器具１００内に押し込んだときに光源ユニット２００を照明器具１００に取り付けやすくできる。
【０１１９】
［器具側バネ１１６０］
図３９は、本発明の実施の形態に係る照明装置１の他の器具側バネ１１６０の斜視図である。器具側バネ１１６０は、弾性体で形成されており、光源ユニット２００を器具本体１１０に固定する。器具側バネ１１６０は、照明器具１００の長手方向（Ｘ軸方向）の端部に対して中央側に配置されている。器具側バネ１１６０は、図３９に示すように、板状に形成されたバネ接続部１１６０ｂと、バネ接続部１１６０ｂと一体に形成され、バネ接続部１１６０ｂの両端部から突出する２つの係合バネ部１１６０ａと、を有している。
【０１２０】
係合バネ部１１６０ａは、バネ接続部１１６０ｂから突出しており、板状のバネ絞り部１１６０ａ１と板状のバネ腕部１１６２とを有し、板状のバネ絞り部１１６０ａ１は板状のバネ腕部１１６２の先端部に一体に形成されている。係合バネ部１１６０ａの突出方向において、バネ接続部１１６０ｂから、バネ腕部１１６２、バネ絞り部１１６０ａ１の順に形成されている。互いに対向する２つのバネ腕部１１６２は、係合バネ部１１６０ａの突出方向において、先端部が近づくように構成され、互いに対向する２つのバネ絞り部１１６０ａ１は、先端部が離れるように構成されている。換言すれば、対になる２つのバネ腕部１１６２は、バネ絞り部１１６０ａ１からバネ接続部１１６０ｂに向かって互いの距離が広がるように傾斜している。したがって、一体に構成されたバネ絞り部１１６０ａ１及びバネ腕部１１６２の突出方向の断面形状は略Ｌ字状に形成されている。そのため、器具側バネ１１６０は、対向する２組のバネ絞り部１１６０ａ１及びバネ腕部１１６２が、互いに向かい合う方向に凸となるように形成されている。
【０１２１】
係合バネ部１１６０ａは、さらに、バネ延出部１１６１を有する。バネ延出部１１６１は、バネ接続部１１６０ｂの延びる方向において、バネ絞り部１１６０ａ１及びバネ腕部１１６２の外側に形成されている。また、バネ延出部１１６１は、係合バネ部１１６０ａの突出方向において、バネ腕部１１６２と離れるように傾斜している。
【０１２２】
バネ延出部１１６１は、バネ腕部１１６２と離れるように傾斜する傾斜面を形成するバネ延出傾斜部１１６１ａと、バネ接続部１１６０ｂの仮想の延長面と平行なバネ延出平板部１１６１ｂと、を有する。また、バネ延出部１１６１は、バネ延出平板部１１６１ｂの先端部に形成されたバネ係合部１１６１ｃを有する。バネ腕部１１６２は、光源ユニット２００と器具側バネ１１６０の中央部１６５で係合する部分である。バネ係合部１１６１ｃは、バネ延出平板部１１６１ｂの延びる方向において、先端側に位置し、バネ延出平板部１１６１ｂの板面に対して略垂直方向に突出する外突出部１１６１ｃ１を有する。また、バネ係合部１１６１ｃは、外突出部１１６１ｃ１の内側に位置し、バネ延出平板部１１６１ｂの板面に対して略垂直方向に突出すると共に、外突出部１１６１ｃ１よりも高く形成された内突出部１１６１ｃ２を有する。バネ係合部１１６１ｃは、外突出部１１６１ｃ１及び内突出部１１６１ｃ２によって溝部１１６１ｃ３を形成する。バネ係合部１１６１ｃは、器具本体１１０の２つの側面部１１２の前記凸部１１４と、器具側バネ１１６０の端部でそれぞれ係合する部分である。
【０１２３】
器具側バネ１１６０は、照明装置１の短手方向（Ｙ軸方向）において、バネ接続部１１６０ｂの延びる方向の長さよりも、バネ腕部１１６２の先端部の間の距離が短くなるように、バネ腕部１１６２が傾斜している。器具側バネ１１６０は、照明装置１の短手方向（Ｙ軸方向）において、バネ腕部１１６２の先端部の間の距離よりも、２つのバネ絞り部１１６０ａ１の先端部の間の距離が長くなるように、バネ絞り部１１６０ａ１が傾斜している。また、器具側バネ１１６０は、２つのバネ絞り部１１６０ａ１の間の距離よりも、２つのバネ延出傾斜部１１６１ａの間の距離が長くなるようにバネ延出部１１６１が傾斜している。
【０１２４】
［光源ユニット２００の取り付け工程］
図４０は、図３９の器具側バネ１１６０と光源ユニット２００とが分離した状態の、光源ユニット２００の照明器具１００への取り付けに関する参考図である。図４１は、図４０の器具側バネ１１６０と光源ユニット２００とが係合した状態の、光源ユニット２００の照明器具１００への取り付けに関する参考図である。図４０及び図４１を参照して、器具側バネ１１６０を用いた、光源ユニット２００の照明器具１００への取り付け工程について説明する。
【０１２５】
作業者は、まず、照明器具１００の器具本体１１０の内部に器具側バネ１１６０を設置する。作業者は、バネ係合部１１６１ｃを凸部１１４に摺動させて、器具本体１１０内に器具側バネ１１６０を挿入する。この際、バネ延出部１１６１が、照明器具１００の短手方向（Ｙ軸方向）における内側に弾性変形し、バネ係合部１１６１ｃが凸部１１４を通過するまで押し込まれる。器具側バネ１１６０は、バネ係合部１１６１ｃが凸部１１４を通過すると、バネ延出部１１６１の弾性変形は解除されてバネ係合部１１６１ｃが凸部１１４に引っ掛かる。この状態で、器具側バネ１１６０は、器具本体１１０の本体開口部１１３を覆うように凸部１１４に取り付けられている。
【０１２６】
なお、バネ係合部１１６１ｃと凸部１１４との係合を更に確実なものにするために、図６に示す第一切欠部１１４ｂように、凸部１１４の一部に凸部１１４を切り欠いたバネ取付部１１５を形成してもよい。そして、バネ係合部１１６１ｃがバネ取付部１１５に係合されるようにしてもよい。器具側バネ１１６０が、器具本体１１０に設置されると、器具側バネ１１６０はバネ係合部１１６１ｃが、バネ取付部１１５に挿入されていると共に、バネ接続部１１６０ｂが電源装置１２０と対向し当接するように配置されている。この際、凸部１１４の壁部は、溝部１１６１ｃ３に挿入されている。
【０１２７】
作業者は、光源ユニット２００を照明器具１００に取り付けるとき、フレーム２２０の第二板部２２３の端部を、器具側バネ１６０のバネ絞り部１１６０ａ１に当接させる。作業者は、フレーム２２０の第二板部２２３の端部がバネ絞り部１１６０ａ１に当接した状態から、光源ユニット２００を器具本体１１０に押し込む。すると、フレーム２２０の第二板部２２３の端部がバネ絞り部１１６０ａ１の傾斜に沿ってバネ絞り部１１６０ａ１を摺動する。この際、バネ腕部１１６２が、照明器具１００の短手方向（Ｙ軸方向）における外側に弾性変形し、第一板部２２１が凸部１１４の上側端部に当接するまで押し込まれる。すなわち、光源ユニット２００が、照明器具１００に取り付けられる際に、第二板部２２３がバネ絞り部１１６０ａ１と当接し、バネ腕部１１６２が照明器具１００の短手方向（Ｙ軸方向）に弾性変形する。その後、光源ユニット２００は、第二板部２２３の端部がバネ絞り部１１６０ａ１に対する摺動を終え、バネ腕部１１６２の弾性変形は解除されて第二板部２２３がバネ腕部１１６２の端部に引っ掛かり保持される。そして、器具側バネ１１６０は、フレーム２２０の第二板部２２３を挟むように第二板部２２３を保持する。バネ腕部１１６２は、先端がフレーム２２０の第二板部２２３と当接することで、光源ユニット２００を保持することができる。したがって、器具側バネ１１６０は、端部であるバネ係合部１１６１ｃが２つの側面部１１２の凸部１１４とそれぞれ係合する。また、器具側バネ１１６０は、両方の端部であるバネ係合部１１６１ｃの間に位置する中央部１６５がバネ腕部１１６２により構成され、バネ腕部１１６２が光源ユニット２００の第二板部２２３と係合する。すなわち、光源ユニット２００が、照明器具１００に取り付けられた状態において、第二板部２２３がバネ腕部１１６２によって挟まれて保持されている。
【０１２８】
［器具側バネ１１６０の作用］
照明装置１は、長手方向（Ｘ軸方向）の両方の端部２００ａでバネ２５０により光源ユニット２００が照明器具１００に取り付けられると共に、長手方向（Ｘ軸方向）の略中央側で器具側バネ１１６０により光源ユニット２００が照明器具１００に保持される。その結果、光源ユニット２００は、撓むことなく照明器具１００に固定される。
【０１２９】
器具側バネ１１６０は、フレーム２２０の第二板部２２３が電源装置１２０と対向するように配置されていることで、光源ユニット２００が押しこまれたときに、器具側バネ１１６０は電源装置１２０と当接するために外れない。器具側バネ１１６０は、バネ延出部１１６１が側面部１１２又は電源装置１２０と当接することで、光源ユニット２００が押し込まれる力に対しての反力となりバネ絞り部１１６０ａ１によりフレーム２２０の第二板部２２３を挟むことができる。バネ延出部１１６１を、側面部１１２又は電源装置１２０と当接させることで、バネそのものの剛性をあげることなくフレーム２２０を保持することができる。
【０１３０】
なお、器具側バネ１１６０は、例えば、ネジ等の固定具で固定する等、凸部１１４への取り付けも強固にしなくてもよい。器具側バネ１１６０は、凸部１１４の一部切り欠いた箇所のバネ取付部１１５において、凸部１１４を構成する壁がバネ係合部１１６１ｃの溝部１１６１ｃ３に差し込まれている。また、器具側バネ１１６０は、バネ接続部１１６０ｂが電源装置１２０と対向し電源装置１２０が当接するように配置されている。そのため器具側バネ１１６０は、凸部１１４と電源装置１２０とによって、挟まれるように取り付けられている。
【０１３１】
［取付台４００］
図４２は、本発明の実施の形態に係る照明装置１の取付台４００の斜視図である。図４３は、図４２の取付台４００の分解斜視図である。図４４は、図４２の取付台４００の可動に関する参考図である。図４５は、図４４の照明装置１が回動された状態の、取付台４００の可動に関する参考図である。図４２〜図４５を参照して、実施の形態に係る照明装置１のオプション部品である取付台４００について説明する。取付台４００は、照明装置１を、照明装置１の短手方向（Ｙ軸方向）に回動自在に、被取付部５００に取り付けるものである。取付台４００は、照明器具１００の外郭を構成する器具本体１１０の、光源ユニット２００が配置される側と反対の側に取り付けられ、照明器具１００を被取付部５００に取り付ける。取付台４００は、取付台４００に取り付けられた照明器具１００を、被取付部５００に対して垂直に配置された状態と、被取付部５００に対して傾斜して配置された状態との間で回動自在に保持する。取付台４００は、天井あるいは壁等の被取付部５００に取り付けられる台座部４１０と、照明器具１００の器具本体１１０が取り付けられる取付部４２０と、台座部４１０と取付部４２０とを回動自在に連結させる軸部４３０と、を有している。
【０１３２】
台座部４１０は、天井あるいは壁等の被取付部５００に固定される脚部４１１と、台座部４１０に対する取付部４２０の回転角度を制御する制御Ａ部４１２と、を備えている。
【０１３３】
脚部４１１は、平板状に形成されており、照明装置１の短手方向（Ｙ軸方向）において照明装置１より大きく形成されている。脚部４１１の長手方向は、照明装置１の短手方向（Ｙ軸方向）であり、脚部４１１の長手方向の両端部には、ネジ等の固定具により台座部４１０を天井あるいは壁等の被取付部５００に固定する為の台座固定穴４１３が形成されている。台座固定穴４１３は、脚部４１１に形成された貫通孔であり、取付台４００に照明装置１が取り付けられた状態において、台座固定穴４１３が形成されている部分の脚部４１１は、平面視で照明装置１の短手方向（Ｙ軸方向）から突出している。脚部４１１の長さは、照明装置１を水平方向に回転（倒した）させた状態で、照明装置１よりも突出しない長さであるとよい。
【０１３４】
制御Ａ部４１２は、脚部４１１の短手方向の端部の縁部から立ち上がる壁部である。制御Ａ部４１２は、制御Ａ部４１２に対して略垂直に立ちあがる。制御Ａ部４１２には、軸部４３０が挿入される軸孔Ａ部４１２ａが形成されている。
【０１３５】
制御Ａ部４１２には、軸部４３０を円の中心点とした仮想の円弧ＡＣに沿って所定の角度ごとに制御孔部４１２ｂが複数形成されている。制御孔部４１２ｂは、制御Ａ部４１２に形成された円形状の開口穴である。制御孔部４１２ｂは、取付台４００において、制御Ｂ部４２２に対向するように開口している。なお、制御孔部４１２ｂは、貫通孔であってもよい。制御孔部４１２ｂは、Ａ部第一係合部であり、後述するＢ部第二係合部である制御凸部４２２ｂと係合することで、脚部４１１に対する取付板部４２１の傾斜角度を変更することができる。
【０１３６】
制御Ａ部４１２には、取付部４２０が回動した際に、制御Ａ部４１２を構成する壁が、取付板部４２１と干渉しないように切欠部４１２ｃが形成されている。切欠部４１２ｃは、制御Ａ部４１２において、軸孔Ａ部４１２ａを挟んで制御孔部４１２ｂとは反対側の端部側、かつ、軸孔Ａ部４１２ａを挟んで脚部４１１とは反対側の端部側に形成されている。取付台４００を構成する制御Ａ部４１２は、切欠部４１２ｃにおいて、取付板部４２１に面する斜面を形成している。
【０１３７】
取付部４２０は、照明器具１００の器具本体１１０が載置されて固定される取付板部４２１と、制御Ａ部４１２と係合することで台座部４１０に対する取付部４２０の回転角度を制御する制御Ｂ部４２２と、を備えている。
【０１３８】
取付板部４２１は、平板状に形成されており、取付板部４２１には、ネジ等の固定具により照明装置１を取り付けるための取付穴４２１ａが形成されている。照明装置１は、照明器具１００の取付穴１１１ｂと、取付穴４２１ａとを介して固定具によって、取付部４２０の取付板部４２１に取り付けられる。取付板部４２１は、軸部４３０によって脚部４１１に対して回動自在に支持されている。また、取付部４２０には、照明器具１００に各部材を取り付けたときのリベット等の固定具をよけるように切り欠かれた切欠部４２１ｂ、あるいは、貫通孔である開口部４２１ｃが形成されている。そのため、照明器具１００に各部材を安定して取り付けることができる。
【０１３９】
制御Ｂ部４２２は、取付板部４２１の短手方向の端部の縁部から立ち上がる壁部である。制御Ｂ部４２２は、取付板部４２１に対して略垂直に立ちあがる。取付台４００において、制御Ｂ部４２２と制御Ａ部４１２とは摺動自在に当接している。制御Ｂ部４２２には、軸部４３０が挿入される軸孔Ｂ部４２２ａが形成されている。
【０１４０】
制御Ｂ部４２２には、凸状に形成された１つの制御凸部４２２ｂを有する。制御凸部４２２ｂは、Ｂ部第二係合部であり、Ａ部第一係合部である制御孔部４１２ｂと係合することで、脚部４１１に対する取付板部４２１の傾斜角度を変更することができる。制御凸部４２２ｂは、取付台４００において、制御Ａ部４１２と対向する面に形成されている。制御凸部４２２ｂは、制御Ｂ部４２２の板面に対する平面視において円形状に形成されており、制御Ｂ部４２２の板面に対する垂直断面において円弧状に形成されている。制御Ｂ部４２２の板面に対する平面視において、制御凸部４２２ｂの中心と軸部４３０の回転軸との距離は、制御孔部４１２ｂの中心と軸部４３０の回転軸との距離と略等しい。制御凸部４２２ｂは、取付部４２０の回動に伴い、円弧上に配置されて複数の制御孔部４１２ｂの各孔に嵌め合わされる。制御凸部４２２ｂが、制御孔部４１２ｂに嵌合することで、脚部４１１に対する取付板部４２１の傾斜角度が維持されて固定される。
【０１４１】
制御Ｂ部４２２には、取付部４２０が回動した際に、制御Ｂ部４２２を構成する壁が、天井あるいは壁等の被取付部５００と干渉しないように切欠部４２２ｃが形成されている。切欠部４２２ｃは、制御Ｂ部４２２において、軸孔Ｂ部４２２ａを挟んで制御凸部４２２ｂとは反対側の端部側、かつ、軸孔Ｂ部４２２ａを挟んで取付板部４２１とは反対側の端部側に形成されている。すなわち、取付台４００を構成する制御Ｂ部４２２は、切欠部４２２ｃにおいて、天井等の被取付部５００に面する斜面を形成している。
【０１４２】
軸部４３０は、例えば、ボルト及びナット等であり、軸孔Ａ部４１２ａと軸孔Ｂ部４２２ａとに挿通されて、台座部４１０と取付部４２０とを回動自在に支持する。また、軸部４３０は、制御凸部４２２ｂと制御孔部４１２ｂとが嵌合するように、台座部４１０と取付部４２０との間の一定の間隔を保持する。取付部４２０は、軸部４３０を回転軸として、脚部４１１に対して回動する。
【０１４３】
［取付台４００の作用］
取付台４００は、制御Ａ部４１２と制御Ｂ部４２２とが軸部４３０によって摺動自在に連結されている。取付台４００は、制御Ａ部４１２に形成されたＡ部第一係合部である制御孔部４１２ｂと、制御Ｂ部４２２に形成されたＢ部第二係合部である制御凸部４２２ｂとが係合することで、照明器具１００を回動自在に保持する。取付台４００は、制御凸部４２２ｂが、複数の制御孔部４１２ｂのいずれか１つに嵌合することで、取付部４２０の台座部４１０に対する傾斜角度が決定される。制御凸部４２２ｂは、図４４及び図４５に示すように、台座部４１０の制御Ａ部４１２を摺動しながら制御孔部４１２ｂに嵌り込み、台座部４１０に対して取付部４２０を所定の角度で保持することができる。取付台４００は、図４４に示すように、脚部４１１が照明装置１の短手方向（Ｙ軸方向）より長く形成されている。
【０１４４】
図４４に示すように、制御凸部４２２ｂが脚部４１１に最も近い位置に形成されている制御孔部４１２ｂに係合されると、脚部４１１と取付板部４２１とは略平行に配置される。そのため、制御凸部４２２ｂが脚部４１１に最も近い位置に形成されている制御孔部４１２ｂに係合することによって、照明装置１は、天井あるいは壁等の被取付部５００に対して略垂直に配置される。図４４に示すように、照明器具１００が、被取付部５００に対して垂直に配置された状態で取付台４００に取り付けられていると仮定する。このとき、脚部４１１は、被取付部５００に対する垂直方向において照明器具１００を被取付部５００に投影してなる投影部１００ｃよりも、照明器具１００の短手方向（Ｙ軸方向）において長く形成されている。
【０１４５】
図４５に示すように、取付部４２０が台座部４１０に対して回動し、制御凸部４２２ｂが脚部４１１から離れた位置に形成されている制御孔部４１２ｂに係合されるに従い、取付板部４２１は脚部４１１に対して傾斜が大きくなるように配置される。そのため、制御凸部４２２ｂが脚部４１１から離れた位置に形成されている制御孔部４１２ｂに係合されるに従い、照明装置１は、天井あるいは壁等の被取付部５００との間の角度が小さくなるように水平方向に回転した状態で配置される。ここで、照明器具１００が、取付台４００に取り付けられ、被取付部５００に対して平行となるように傾倒した状態であると仮定する。このとき、被取付部５００に対する垂直方向において照明器具１００及び光源ユニット２００を被取付部５００に投影してなる投影部１００ｄの少なくとも一部は、照明器具１００の短手方向において、脚部４１１の一方の端部よりも外側に位置することになる。
【０１４６】
なお、制御Ａ部４１２のＡ部第一係合部と制御Ｂ部４２２のＢ部第二係合部とに形成された凹凸の構成は他の構成でもよい。たとえば、制御Ａ部４１２に、１つの制御孔部４１２ｂが形成されており、制御Ｂ部４２２に複数の制御凸部４２２ｂが形成されていてもよい。あるいは、制御Ａ部４１２に、１つの制御凸部４２２ｂが形成されており、制御Ｂ部４２２に、複数の制御孔部４１２ｂが形成されていてもよい。あるいは、制御Ａ部４１２に、複数の制御凸部４２２ｂが形成されており、制御Ｂ部４２２に、１つの制御孔部４１２ｂが形成されていてもよい。
【０１４７】
［フレーム２２０の作用効果］
実施の形態に係る照明装置１の効果である、フレーム２２０による照明装置１の薄型化に関して下記に記載する。光源ユニット２００は、フレーム２２０が、発光モジュール２１０が取り付けられる第一板部２２１と、第一板部２２１と対向する第二板部２２３と、第一板部２２１と第二板部２２３を連結する柱部２２２を有していることで剛性を確保することができる。そのため、光源ユニット２００は、上下方向（Ｚ軸方向）に大きくすることなく薄型化することができる。その結果、光源ユニット２００を有する照明装置１は、上下方向（Ｚ軸方向）に薄型化することができる。
【０１４８】
また、照明装置１は、光源ユニット２００が薄型化されることで、器具本体１１０の内部空間を有効に活用することができる。具体的には、光源ユニット２００は、光源ユニット２００が薄型化されることで、電源装置１２０等の器具本体１１０に収納された部品と干渉しないように照明器具１００に取り付けることができる。そして、器具本体１１０は、光源ユニット２００が薄型化されることで、光源ユニット２００が収容される領域と、電源装置１２０等が収容される領域とを上下方向（Ｚ軸方向）で分けることができる。照明装置１は、器具本体１１０の内部を上下にわけることで、電源装置１２０を短手方向（Ｙ軸方向）の片側に寄せることができる。そのため、照明装置１は、器具本体１１０の短手方向（Ｙ軸方向）に器具内電線の収容箇所を設けることができ、照明装置１の大型化を抑制することができる。また、照明装置１は、器具本体１１０の短手方向（Ｙ軸方向）に器具内電線を収容することで、光源ユニット２００と電源装置１２０との間等に電線を挟むことを防止することができる。これらの構成によって、照明装置１は小型化することができる。
【０１４９】
［バネ２５０の作用効果］
照明装置１は、光源ユニット２００に固定されるバネ２５０が、平板状に形成されたバネ底面部２５２ｂと、バネ底面部２５２ｂの両端部に形成され光源ユニット２００の短手方向（Ｙ軸方向）に弾性変形するバネ爪部２５２ａを有する。また、バネ２５０は、バネ爪部２５２ａの先端部に形成されたバネ係合部２５２ｃを有する。そして、対応する２つの凸部１１４の最も近い部分の距離Ｌ１は、バネ爪部２５２ａの自然長における対向する２つのバネ係合部２５２ｃの最も遠い部分の距離よりも小さい。そのため、作業者は、バネ２５０の弾性変形を利用して、光源ユニット２００を照明器具１００に押し込むことで、バネ２５０を介して光源ユニット２００を器具本体１１０の凸部１１４に係合させることができる。また、作業者は、光源ユニット２００を照明器具１００から引き出すことで、バネ２５０の弾性変形を利用して、光源ユニット２００を照明器具１００から取り外すことができる。その結果、照明装置１は、光源ユニット２００を照明器具１００に簡単に着脱することがきる。
【０１５０】
バネ２５０は、光源ユニット２００が照明器具１００に取り付けられた場合に、バネ係合部２５２ｃが凸部１１４と係合する。そのため、照明装置１は、照明器具１００の器具本体１１０内にバネ２５０と係合するための別部材を設ける必要がなく、部材点数を少なくすることができる。そのため、照明装置１は、器具本体１１０内に収容される部品数を減らし、内部空間を有効活用することができる。
【０１５１】
バネ２５０のバネ係合部２５２ｃは、光源ユニット２００が照明器具１００に取り付けられた場合に、側面部１１２と対向する部分が円弧状に形成されている。そのため、作業者が、光源ユニット２００を照明器具１００から取り外すときに、光源ユニット２００の着脱が容易にとなる特別な冶具がなくとも光源ユニット２００を照明器具１００から容易に取り外すことができる。また、作業者が、光源ユニット２００を照明器具１００に取り付けるときに、光源ユニット２００の着脱が容易にとなる特別な冶具がなくとも光源ユニット２００を照明器具１００に容易に取り付けることができる。
【０１５２】
バネ２５０は、光源ユニット２００が照明器具１００に取り付けられた場合に、照明器具１００の内部において、バネ爪部２５２ａがバネ底面部２５２ｂより底部１１１側に突出しないように形成されている。そのため、照明装置１は、バネ爪部２５２ａが弾性変形するときに器具本体１１０の内部の他の部材と干渉することを抑制することができる。また、照明装置１は、例えば、電線等の器具本体１１０の内部に配置される部材もバネ爪部２５２ａと干渉して破損することを抑制することができる。
【０１５３】
バネ２５０は、バネ爪部２５２ａが、バネ底面部２５２ｂの一方の面側に凸となるようにＶ字状に形成されている。そのため、照明装置１は、バネ爪部２５２ａが弾性変形するときに器具本体１１０の内部の他の部材と干渉することを抑制することができる。また、照明装置１は、例えば、電線等の器具本体１１０の内部に配置される部材もバネ爪部２５２ａと干渉して破損することを抑制することができる。
【０１５４】
バネ２５０のバネ爪部２５２ａは、光源ユニット２００の長手方向（Ｘ軸方向）において、複数形成されており、隣り合うバネ爪部２５２ａの間には開口が形成されている。バネ２５０は、隣接するバネ爪部２５２ａの間に開口が形成されていることで弾性変形しやすくできる。また、バネ２５０は、隣接するバネ爪部２５２ａの間に形成する開口の大きさによってバネ２５０の弾力を調整することができ、板材で形成されたバネの弾性強度の調整及び軽量化を図ることができる。
【０１５５】
光源ユニット２００が、照明器具１００に取り付けられる際に、バネ係合部２５２ｃが凸部１１４と当接して摺動し、バネ爪部２５２ａが照明器具１００の短手方向（Ｙ軸方向）に弾性変形する。そのため、作業者は、照明装置１の上下方向（Ｚ軸方向）において、光源ユニット２００を照明器具１００に押し込むと、バネ係合部２５２ｃが照明器具１００の凸部１１４と係合し、光源ユニット２００を照明器具１００に容易に固定することができる。また、作業者が、光源ユニット２００を照明器具１００に挿し込むときに、バネ係合部２５２ｃが照明器具１００に対する光源ユニット２００のガイドとなり、作業者は光源ユニット２００を取り付けやすい。そのため、バネ係合部２５２ｃが照明器具１００に対する光源ユニット２００のガイドとなることで、照明装置１を間接照明等として用いるときに、照明装置１の設置空間が狭い空間でも光源ユニット２００を照明器具１００に容易に取り付けすることができる。
【０１５６】
バネ２５０は、フレーム２２０に取り付けられた場合に、バネ底面部２５２ｂと第二板部２２３との間に間隔を形成する。そのため、バネ２５０は、凸部１１４に当接するバネ係合部２５２ｃ側の端部と、バネ爪部２５２ａのＶ字状の頂点側の端部（支点）との距離を大きくすることができ、バネ２５０を弾性変形し易くすることができる。
【０１５７】
光源ユニット２００は、フレーム２２０が照明器具１００内に挿し込まれる場合に、バネ係合部２５２ｃが凸部１１４の下方に配置されると第一板部２２１が凸部１１４と当接する。そのため、作業者が、光源ユニット２００を照明器具１００に挿し込むときに、光源ユニット２００が器具本体１１０の内部に所定の距離以上に入り込むことを抑制し、光源ユニット２００と照明器具１００の内部の部品との干渉を防ぐことができる。
【０１５８】
バネ２５０のバネ引掛け部２５１は、先端部に互いに向かい合う２つの鉤形状に形成された爪部２５１ａ１を有する。そのため、バネ２５０は、端部をフレーム２２０の第二板部２２３に引掛けることができる。
【０１５９】
なお、光源ユニットが、照明器具に着脱可能に取り付けられている照明装置において、照明装置が、照明器具の器具本体の内側に光源ユニットを引き込むように取り付けをするバネを有しているものが考えられる。このような照明装置の場合、このバネの力が強く、照明装置の長手方向（Ｘ軸方向）において、光源ユニットの一部が器具本体の内側に引き込まれてしまうことが考えられる。これに対し、照明装置１のように、器具本体１１０の凸部１１４及びバネ係合部２５２ｃによって、照明装置１の短手方向（Ｙ軸方向）で把持する方法であれば、そのようなことを防ぐこともできる。
【０１６０】
［エンドキャップ２４０の作用効果］
光源ユニット２００は、フレーム２２０に取り付けられた状態において長手方向（Ｘ軸方向）における端部２３０ｔに開口部２３０ｃが形成されるカバー２３０と、フレーム２２０に固定されて開口部２３０ｃを塞ぐエンドキャップ２４０とを備える。光源ユニット２００は、エンドキャップ２４０がフレーム２２０に固定されているため、熱によってカバー２３０が収縮しても、カバー２３０に固定されていないエンドキャップ２４０は影響を受けることがない。そのため、光源ユニット２００は、熱による影響を受けても光源ユニット２００の各部への負荷を抑制することができる。
【０１６１】
エンドキャップ２４０は、フレーム２２０に固定されており、カバー２３０の長手方向（Ｘ軸方向）長さが、フレーム２２０の両端に配置された２つのカバーキャップ部２４１の間の対向する長さよりも短く形成されている。よって、照明装置１は、熱（周囲の温度）の影響によるカバー２３０の伸縮に影響を受けず、光源ユニット２００の長手方向（Ｘ軸方向）への伸縮を抑制することができる。また、照明装置１は、熱（周囲の温度）の影響によるカバー２３０の伸縮に基づいて、カバー２３０との当接部位から生じるカバー２３０に対する負荷を抑制してカバー２３０を保持することができる。
【０１６２】
エンドキャップ２４０は、開口部２３０ｃを塞ぐ状態において、カバー２３０の内側面部２３０ａは、第一突設部２４２と摺動自在に当接する。そのため、光源ユニット２００は、エンドキャップ２４０が第一突設部２４２とキャップ側カバー保持部２４３ｃとを有することで、カバー２３０が長手方向（Ｘ軸方向）に移動できるように保持している。よって、照明装置１は、カバー２３０の熱による伸縮の影響を抑制してカバー２３０を保持することができる。
【０１６３】
エンドキャップ２４０は、第一突設部２４２がカバーキャップ部２４１より透過性が高く形成されている。よって、照明装置１は、カバー２３０とエンドキャップ２４０の第一突設部２４２とが重なる部分が暗くならないようにできる。例えば、二色成形によって、カバーキャップ部２４１の透過性を高くしない、あるいは、透過性を抑制することで、光源ユニット２００の長手方向（Ｘ軸方向）から光源ユニット２００の内部空間が見えてしまうことを抑制することができる。
【０１６４】
エンドキャップ２４０の第一突設部２４２は、突出方向において、先端部側（領域Ａ）と基部側（領域Ｂ）とが透過性が異なるように形成されている。例えば、カバー２３０と当接する先端部側（領域Ａ）は、光の透過距離が長くなるので、先端部側（領域Ａ）の透過性を高くすることで光源ユニット２００は、全体として光ムラを抑制することができる。
【０１６５】
エンドキャップ２４０の第一突設部２４２は、突出側の端部がＲ状に形成されている。第一突設部２２４２の端部をＲ状にすることで、主カバー部２３１及びカバー側面部２３２におけるエンドキャップ２２４０と重なっている部分と重なっていない部分との境界線をぼんやりさせ、ぼやかし、際立たせない、あるいは、抑制することができる。
【０１６６】
エンドキャップ２４０の平板部２４３ｅには、貫通孔である電線切り欠き部２４３ｂが形成されており、エンドキャップ２４０とフレーム２２０とが組み合わせられた場合に、平板部２４３ｅとフレーム２２０とによって開口が形成される。光源ユニット２００は、この開口を利用して、光源側電線２１３をフレーム２２０及びカバー２３０の外側に引き出すことができる。よって、照明装置１は、熱の影響によりカバー２３０が伸縮しても光源側電線２１３を引っ張る若しくは挟むことを抑制することができ、光源側電線２１３への負荷を抑制することができる。
【０１６７】
基板剥がれ防止部２４３ａは、第二突出部２４３ａ２と平板部２４３ｅとの間に間隙を形成しており、発光モジュール２１０とエンドキャップ２４０とが組み合わされた場合に、発光モジュール２１０の端部が間隙に挿し込まれる。したがって、光源ユニット２００は、発光モジュール２１０を構成する基板２１２が、フレーム２２０から剥がれ浮き上がることを防止することができる。
【０１６８】
光源ユニット２００は、エンドキャップ２４０をフレーム２２０に固定する場合に、ネジ固定具２６０の頭部が、エンドキャップ２４０から突出している。そのため、光源ユニット２００を照明器具１００に取り付けするときに、エンドキャップ２４０よりも先にネジ固定具２６０が照明器具１００の端板部１５０と接触する。よって、照明装置１は、樹脂部材であるエンドキャップ２４０は、端板部１５０との接触を回避することができ、樹脂部材であるエンドキャップ２４０の変形、もしくは、破損を防ぐことができる。
【０１６９】
以上のように照明装置１は、上述のエンドキャップ２４０を備えた光源ユニット２００を有することで、光源ユニット２００の上述の効果を奏することができる。
【０１７０】
［端板部１５０の作用効果］
照明器具１００は、器具本体１１０が、端部１１０ａの内部空間側に端板部１５０と係合する第一係合部１１１４を有する。また、端板部１５０が、器具本体１１０に取り付けられると器具本体１１０の内部空間側に配置され、第一係合部１１１４と係合する第二係合部１１５２を有する。そして、端板部１５０は、器具本体１１０の端部開口部１１０ｂに、器具本体１１０の長手方向（Ｘ軸方向）から差し込まれることで、第二係合部１１５２が第一係合部１１１４と係合し、器具本体１１０に取り付けられる。照明装置１は、器具本体１１０の側面部１１２に端板部１５０の係合のための穴あるいは凹み等を形成するための加工が必要なく、穴あるいは凹みによる加工痕が形成されないようにできる。その結果、照明装置１は、加工痕を設けない意匠にすることができ、照明装置１の意匠性を向上させることができる。照明器具１００は、器具本体１１０の第一係合部１１１４と、端板部１５０の第二係合部１１５２とが器具本体１１０の内部空間で係合されるため意匠性に影響を与えないで器具本体１１０に端板部１５０を取り付けることができる。また、照明器具１００は、器具本体１１０の側面部１１２に端板部１５０の係合のための穴あるいは凹み等を形成するための加工が必要なく、穴あるいは凹みによる加工痕が形成されないようにできる。その結果、照明器具１００を有する照明装置１は、加工痕を設けない意匠にすることができ、照明装置１の意匠性を向上させることができる。また、照明器具１００は、端板部１５０を器具本体１１０に挿し込むだけで器具本体１１０に取り付けることができ、照明器具１００の作業工数を抑制することができる。
【０１７１】
端板部１５０は、器具本体１１０の長手方向（Ｘ軸方向）の端部１１０ａの端部開口部１１０ｂを塞ぐように配設されている。照明装置１は、端板部１５０が器具本体１１０の長手方向（Ｘ軸方向）から挿し込まれることで器具本体１１０に取り付けることができ、照明器具１００を容易に組み立てることができる。
【０１７２】
器具本体１１０の凸部１１４は、底部１１１と反対側の先端部１１４ｆが、器具本体１１０の内部空間側に向かって円弧を形成するように折り曲げられ、かつ、凸部１１４の縁部１１４ｄが、側面部１１２を向くように折り曲げられている。そして、第一係合部１１１４は、凸部１１４のそれぞれにおいて、凸部１１４の縁部１１４ｄに形成された第一切欠部１１４ｂと第二切欠部１１４ｃの２つの切欠部と、２つの切欠部の間の壁部を構成する端板固定部１１４ａとによって形成されている。そのため、照明器具１００は、器具本体１１０の第一係合部１１１４と、端板部１５０の第二係合部１１５２とが器具本体１１０の内部空間で係合されるため意匠性に影響を与えないで器具本体１１０に端板部１５０を取り付けることができる。
【０１７３】
端板部１５０は、端板部１５０が器具本体１１０に取り付けられた状態において、側面部１１２と対向するように配置される端板爪部１５２を有する。そして、第二係合部１１５２は、端板爪部１５２において、第一突出壁部１１５２ａ及び第二突出壁部１１５２ｂの２つの突出壁部によって形成されている。この第一突出壁部１１５２ａ及び第二突出壁部１１５２ｂの２つの突出壁部は、端板部１５０が器具本体１１０に取り付けられた状態において、第一切欠部１１４ｂと第二切欠部１１４ｃの２つの切欠部のそれぞれに挿入される。そのため、照明器具１００は、器具本体１１０の第一係合部１１１４と、端板部１５０の第二係合部１１５２とが器具本体１１０の内部空間で係合されるため意匠性に影響を与えないで器具本体１１０に端板部１５０を取り付けることができる。
【０１７４】
端板部１５０は、第一切欠部１１４ｂと第二切欠部１１４ｃの２つの切欠部のそれぞれに挿入された第一突出壁部１１５２ａ及び第二突出壁部１１５２ｂの２つの突出壁部が、長手方向において、端板固定部１１４ａと対向する。そのため、器具本体１１０に取り付けられた端板部１５０は、器具本体１１０の長手方向（Ｘ軸方向）の移動が規制される。
【０１７５】
端板部１５０は、先端が内側に曲がった爪挿込部１５２ａを有する。照明装置１は、器具本体１１０の内部に曲折されて形成された凸部１１４に、端板部１５０の爪挿込部１５２ａが内側に弾性変形しながら挿し込まれる。そのため、照明装置１は、器具本体１１０の側面部１１２に端板部１５０の係合のための穴あるいは凹み等を形成するための加工が必要なく、穴あるいは凹みによる加工痕が形成されないようにできる。その結果、照明装置１は、加工痕を設けない意匠にすることができ、照明装置１の意匠性を向上させることができる。
【０１７６】
端板部１５０の第二突出壁部１１５２ｂは、端板部１５０が器具本体１１０に取り付けられた状態において、凸部１１４の端部と側面部１１２との間に嵌り込む突出部１５２ｃａを有する。そのため、端板部１５０は、照明器具１００に取り付けられると照明器具１００に固定され、照明器具１００の短手方向（Ｙ軸方向）の移動が規制される。また、照明装置１は、器具本体１１０の側面部１１２に端板部１５０の係合のための穴あるいは凹み等を形成するための加工が必要なく、穴あるいは凹みによる加工痕が形成されないようにできる。その結果、照明装置１は、加工痕を設けない意匠にすることができ、照明装置１の意匠性を向上させることができる。
【０１７７】
以上のように照明装置１は、上述の端板部１５０及び器具本体１１０を備えた照明器具１００を有することで、照明器具１００の上述の効果を奏することができる。
【０１７８】
［連結部材３００の作用効果］
連結部材３００は、端板部１５０に対して、光源ユニット２００を器具本体１１０に挿入する方向に挿し込まれることで、隣り合う照明器具１００のそれぞれの端板部１５０を挟んで保持し、隣り合う照明器具１００を固定するものである。そのため、照明装置１は、照明器具１００同士の連結がしやすく、簡易に組み立てすることができる。
【０１７９】
端板本体部１５１は、Ｕ字状の縁部によって形成される端板電線穴１５１ｂを形成しており、端板電線穴１５１ｂは、光源ユニット２００が照明器具１００に取り付けられた場合に光源ユニット２００と対向する側が開口するように形成されている。そして、連結部材３００は、この端板電線穴１５１ｂに取り付けられる。端板電線穴１５１ｂは、光源ユニット２００が照明器具１００に取り付けられた場合に光源ユニット２００と対向する側が開口するように形成されていることで、作業者は、連結部材３００を器具本体１１０の本体開口部１１３側から取り付けることができる。その結果、作業者は、連結部材３００を端板部１５０に取り付けやすく、隣接する照明器具１００同士を容易に連結することができる。また、端板電線穴１５１ｂが、上記構成で形成されていることで、例えば、複数の照明器具１００を連結したときに、端板電線穴１５１ｂは、照明器具１００に使用する電線等の配線に利用することができる。
【０１８０】
端板本体部１５１は、ノックアウト加工が施されており、取り外されることで端板本体部１５１に端板電線穴１５１ｂを形成する端板蓋部１５１ａを有し、端板本体部１５１に端板蓋部１５１ａの縁部を形作る溝部１５１ｃが形成されている。したがって、照明装置１は、照明器具１００を連結させることなく１つの照明器具１００として使用する場合には、連結用の端板電線穴１５１ｂを形成する必要がなく、端板電線穴１５１ｂが開口していないため、意匠性を向上させることができる。
【０１８１】
連結部材３００は、連結部材３００が照明器具１００に取り付けられた場合に、隣り合う照明器具１００のそれぞれの端板部１５０が、Ｕ字形状に形成された連結本体部３１０と当接し、第一爪部３２０と第二爪部３３０との間に配置される。そのため、照明装置１は、照明器具１００同士の連結がしやすく、簡易に組み立てすることができる。また、連結部材３００は、Ｕ字形状に形成された連結本体部３１０を有しているので、複数の照明器具１００を連結したときに、連結本体部３１０の内周側を照明器具１００に使用する電線等の配線に利用することができる。また、連結部材３００が、当該構成により端板電線穴１５１ｂの縁部を覆うことで、例えば、端板電線穴１５１ｂが、照明器具１００に使用する電線等の配線に利用された場合に、端板電線穴１５１ｂの縁部から電線を保護することができる。
【０１８２】
連結部材３００は、第一爪部３２０及び第二爪部３３０が、連結本体部３１０の外周側に形成されており、かつ、連結本体部３１０に対して垂直方向に突出するように形成されている。そのため、照明装置１は、照明器具１００同士の連結がしやすく、簡易に組み立てすることができる。
【０１８３】
連結部材３００は、第一爪部３２０と第二爪部３３０との間に、連結本体部３１０が挿し込まれる器具用スリット部３４０が形成されていると共に、第一爪部３２０と第二爪部３３０とが互いに対向しないように互い違いに配置されている。そのため、作業者は、照明器具１００の端板電線穴１５１ｂに連結部材３００を容易かつ確実に取り付けることができる。
【０１８４】
連結部材３００は、連結部材３００が照明器具１００に取り付けられた場合に、本体係合部３５０の突出方向に凸１１４部が配置され、本体係合部３５０が凸部１１４と係合する。そのため、連結部材３００は、本体係合部３５０が凸部１１４に当接することで照明器具１００から外れることを抑制することできる。
【０１８５】
連結部材２３００は、本体係合部１３５０の突出方向の端部１３５０ａにおいて、本体係合部１３５０の内側端部３５１がＲ状に形成されており、外側端部３５２が略直角状形成されている。連結部材２３００は、内側端部３５１をＲ状にすることで、本体開口部１１３を介して照明器具１００の外部から内部へ電線を連結本体部３１０に押し込むときに電線を挿入しやすくなる。また、連結部材２３００は、外側端部３５２を略直角状にすることで、本体係合部１３５０が凸部１１４に引っ掛かり易くなり、連結部材２３００が照明器具１００から外れにくくなる。
【０１８６】
連結部材１３００は、連結本体部３１０の先端部３１０ａの内周側において、互いに向かい合うように突出する電線用爪部３６０を有している。連結部材１３００は、電線用爪部３６０を有することで、隣接する照明器具１００から電線を引き込み、連結本体部３１０の内側に配置したときに、電線が抜けることを抑制することができる。
【０１８７】
［器具側バネ１６０及び器具側バネ１１６０の作用効果］
器具側バネ１６０は、弾性体で形成されており、２つの側面部１１２の凸部１１４と端部でそれぞれ係合するバネ係合部１１６１ｃと、光源ユニット２００と中央部１６５で係合するバネ腕部１６２とを有するものである。そのため、作業者は、器具側バネ１６０の弾性変形を利用して、光源ユニット２００を照明器具１００に押し込むことで、器具側バネ１６０を介して光源ユニット２００を器具本体１１０の凸部１１４に係合させることができる。また、作業者は、光源ユニット２００を照明器具１００から引き出すことで、器具側バネ１６０の弾性変形を利用して、光源ユニット２００を照明器具１００から取り外すことができる。また、器具側バネ１１６０は、弾性体で形成されており、２つの側面部１１２の凸部１１４と端部でそれぞれ係合するバネ係合部１１６１ｃと、光源ユニット２００と中央部１６５で係合するバネ腕部１１６２とを有するものである。そのため、作業者は、器具側バネ１１６０の弾性変形を利用して、光源ユニット２００を照明器具１００に押し込むことで、器具側バネ１１６０を介して光源ユニット２００を器具本体１１０の凸部１１４に係合させることができる。また、作業者は、光源ユニット２００を照明器具１００から引き出すことで、器具側バネ１１６０の弾性変形を利用して、光源ユニット２００を照明器具１００から取り外すことができる。その結果、照明装置１は、光源ユニット２００を照明器具１００に簡単に着脱することができる。
【０１８８】
器具側バネ１６０及び器具側バネ１１６０は、照明器具１００の長手方向（Ｘ軸方向）の端部に対して中央側に配置されている。その結果、光源ユニット２００は、撓むことなく照明器具１００に固定することができる。そのため、照明装置１は、光源ユニット２００が重力によって撓み、照明器具１００との間に隙間が形成されることを抑制することができる。
【０１８９】
器具側バネ１６０及び器具側バネ１１６０は、器具本体１１０の凸部１１４に取り付けられている。そのため、器具本体１１０は、器具側バネ１６０又は器具側バネ１１６０と器具本体１１０の内部空間内の部品との干渉を抑制できるともに、器具本体１１０の内部空間を効率よく使用することができる。
【０１９０】
器具側バネ１６０の端部であるバネ係合部１６１ａはバネ取付部１１５に挿入されている。その結果、器具側バネ１６０は、バネ係合部１６１ａと凸部１１４との係合を更に確実なものにできる。同様に、器具側バネ１１６０の端部であるバネ係合部１１６１ｃはバネ取付部１１５に挿入されている。その結果、器具側バネ１１６０は、バネ係合部１１６１ｃと凸部１１４との係合を更に確実なものにできる。
【０１９１】
バネ係合部１６１ａは、線材が曲げられて円形状に形成されており、バネ取付部１１５にバネ係合部１６１ａが挿入されると、バネ係合部１６１ａが凸部１１４に固定される。その結果、器具側バネ１６０は、バネ係合部１６１ａと凸部１１４との係合を更に確実なものにできる。
【０１９２】
器具側バネ１６０は、器具側バネ１６０を照明器具１００に取り付ける際に、照明装置１の短手方向（Ｙ軸方向）に弾性変形するバネ腕部１６２を有している。そのため、作業者が、光源ユニット２００を照明器具１００に押し込むことで、照明器具１００は器具側バネ１６０を介してフレーム２２０を保持することができる。同様に、器具側バネ１１６０は、器具側バネ１１６０を照明器具１００に取り付ける際に、照明装置１の短手方向（Ｙ軸方向）に弾性変形するバネ絞り部１１６０ａ１を有している。そのため、作業者が、光源ユニット２００を照明器具１００に押し込むことで、照明器具１００は器具側バネ１１６０を介してフレーム２２０を保持することができる。
【０１９３】
器具側バネ１６０は、対になるバネ折曲部１６０ａ２が、互いに向かい合う方向に凸となるように形成されている。そのため、器具側バネ１６０は、バネ腕部１６２によって、光源ユニット２００のフレーム２２０を挟んで保持することができる。
【０１９４】
係合バネ部１１６０ａは、係合バネ部１１６０ａの突出方向において、先端部が近づくように形成された互いに対向する２つのバネ腕部１１６２を有する。また、係合バネ部１１６０ａは、係合バネ部１１６０ａの突出方向において、バネ腕部１１６２の先端部に形成されていると共に、先端部が離れるように形成された互いに対向する２つのバネ絞り部１１６０ａ１とを有する。そのため、器具側バネ１６０は、バネ腕部１６２によって、光源ユニット２００のフレーム２２０を挟んで保持することができる。
【０１９５】
器具側バネ１１６０は、電源装置１２０と対向するように配置されている。そのため、照明装置１は、光源ユニット２００が押されたときに器具側バネ１１６０が凸部１１４から外れることを抑制することができる。
【０１９６】
［取付台４００の作用効果］
照明装置１は、取付台４００が、取付台４００に取り付けられた照明器具１００を、被取付部５００に対して垂直に配置された状態と、被取付部５００に対して傾斜して配置された状態との間で回動自在に保持するものである。そのため、照明装置１は、照明器具１００の取付面の傾斜角度を変更自在に回動させることができる。よって、作業者は、照明装置１を天井あるいは壁等の被取付部５００に固定した後でも、取付台４００を利用することで照明装置１の光の照射方向を変更することができる。
【０１９７】
取付台４００は、制御Ａ部４１２と制御Ｂ部４２２とが軸部４３０によって摺動自在に連結されており、制御Ａ部４１２に形成されたＡ部第一係合部と、制御Ｂ部４２２に形成されたＢ部第二係合部とが係合することで、照明器具１００を回動自在に保持する。そのがめ、照明装置１は、照明器具１００の取付面の傾斜角度を変更自在に回動させることができる。よって、作業者は、照明装置１を天井あるいは壁等の被取付部５００に固定した後でも、取付台４００を利用することで照明装置１の光の照射方向を変更することができる。
【０１９８】
取付台４００は、制御凸部４２２ｂが、複数の制御孔部４１２ｂのいずれか１つに嵌合することで、取付部４２０の台座部４１０に対する傾斜角度が決定される。取付台４００は、制御Ｂ部４２２の制御凸部４２２ｂが、台座部４１０の側面を摺動しながら制御Ａ部４１２の制御孔部４１２ｂにはまり込み、取付部４２０を所定の角度で保持することができる。そのため、照明装置１は、照明器具１００の取付面の傾斜角度を変更自在に回動させることができる。よって、作業者は、照明装置１を天井あるいは壁等の被取付部５００に固定した後でも、取付台４００を利用することで照明装置１の光の照射方向を変更することができる。
【０１９９】
照明器具１００が、被取付部５００に対して垂直に配置された状態で取付台４００に取り付けられていると仮定する。このとき、脚部４１１は、被取付部５００に対する垂直方向において照明器具１００を被取付部５００に投影してなる投影部１００ｃよりも、照明器具１００の短手方向（Ｙ軸方向）において長く形成されている。そのため、取付台４００に照明装置１が取り付けられていても、作業者による被取付部５００への取付台４００の取り付けに際し、照明装置１は作業の妨げとはならない。すなわち、作業者は、照明装置１を取り付けた後に、取付台４００を被取付部５００に取り付けることができる。
【０２００】
照明器具１００が、取付台４００に取り付けられ、被取付部５００に対して平行となるように傾倒した状態であると仮定する。このとき、被取付部５００に対する垂直方向において照明器具１００及び前記光源ユニット２００を被取付部５００に投影してなる投影部１００ｄの少なくとも一部は、照明器具１００の短手方向において、脚部４１１の一方の端部よりも外側に位置することになる。そのため、取付台４００は、照明装置１の大きさに対して比較的狭い空間でも取付台４００を設置できる。
【符号の説明】
【０２０１】
１  照明装置、１００  照明器具、１００ｃ  投影部、１００ｄ  投影部、１１０  器具本体、１１０ａ  端部、１１０ｂ  端部開口部、１１１  底部、１１１ａ  電源穴、１１１ｂ  取付穴、１１２  側面部、１１３  本体開口部、１１４  凸部、１１４ａ  端板固定部、１１４ｂ  第一切欠部、１１４ｃ  第二切欠部、１１４ｄ  縁部、１１４ｆ  先端部、１１５  バネ取付部、１２０  電源装置、１２０ａ  ケース、１３０  電源端子台、１３１  端子台電線、１５０  端板部、１５１  端板本体部、１５１ａ  端板蓋部、１５１ｂ  端板電線穴、１５１ｃ  溝部、１５２  端板爪部、１５２ａ  爪挿込部、１５２ｂ  爪凹部、１５２ｃ  爪嵌合部、１５２ｃａ  突出部、１５２ｐ  上縁部、１５２ｔ１  端縁部、１５２ｔ２  端縁部、１５３  端板接続部、１６０  器具側バネ、１６０ａ  係合バネ部、１６０ａ１  バネ絞り部、１６０ａ２  バネ折曲部、１６０ｂ  バネ接続部、１６１  バネ延出部、１６１ａ  バネ係合部、１６２  バネ腕部、１６３  バネ湾曲部、１６５  中央部、２００  光源ユニット、２００ａ  端部、２１０  発光モジュール、２１１  発光素子、２１２  基板、２１２ｔ  端部、２１３  光源側電線、２２０  フレーム、２２１  第一板部、２２１ａ  基板取付面、２２１ｂ  カバー保持部、２２１ｃ  第二カバー保持部、２２１ｔ  端部、２２２  柱部、２２３  第二板部、２２３ｂ  フレーム固定孔、２３０  カバー、２３０ａ  内側面部、２３０ｃ  開口部、２３０ｔ  端部、２３１  主カバー部、２３２  カバー側面部、２３３  カバー爪部、２４０  エンドキャップ、２４１  カバーキャップ部、２４２  第一突設部、２４２ａ  天板部、２４２ｂ  側板部、２４３  第二突設部、２４３ａ  防止部、２４３ａ１  第一突出部、２４３ａ２  第二突出部、２４３ｂ  電線切り欠き部、２４３ｃ  キャップ側カバー保持部、２４３ｃ１  底板部、２４３ｃ２  鉤状部、２４３ｄ  電線ガイド部、２４３ｅ  平板部、２４４  フレームキャップ部、２４４ａ  キャップ側固定孔、２４５  第一支持部、２４６  第二支持部、２５０  バネ、２５１  バネ引掛け部、２５１ａ  引掛け爪部、２５１ａ１  爪部、２５１ａ２  端部、２５１ｂ  引掛け板部、２５１ｂ１  端部、２５１ｃ  フレーム用開口、２５１ｄ  バネ板部、２５２  バネ本体部、２５２ａ  バネ爪部、２５２ａ１  開口部、２５２ｂ  バネ底面部、２５２ｃ  バネ係合部、２５２ｃ１  バネ爪部、２５３  バネ固定部、２５３ａ  バネ固定端部、２５３ｂ  バネ当接部、２５３ｃ  バネ端板部、２６０  ネジ固定具、３００  連結部材、３１０  連結本体部、３１０ａ  先端部、３２０  第一爪部、３３０  第二爪部、３４０  器具用スリット部、３５０  本体係合部、３５１  内側端部、３５２  外側端部、３６０  電線用爪部、４００  取付台、４１０  台座部、４１１  脚部、４１２  制御Ａ部、４１２ａ  軸孔Ａ部、４１２ｂ  制御孔部、４１２ｃ  切欠部、４１３  台座固定穴、４２０  取付部、４２１  取付板部、４２１ａ  取付穴、４２１ｂ  切欠部、４２１ｃ  開口部、４２２  制御Ｂ部、４２２ａ  軸孔Ｂ部、４２２ｂ  制御凸部、４２２ｃ  切欠部、４３０  軸部、５００  被取付部、１１１４  第一係合部、１１５２  第二係合部、１１５２ａ  第一突出壁部、１１５２ｂ  第二突出壁部、１１６０  ��具側バネ、１１６０ａ  係合バネ部、１１６０ａ１  バネ絞り部、１１６０ｂ  バネ接続部、１１６１  バネ延出部、１１６１ａ  バネ延出傾斜部、１１６１ｂ  バネ延出平板部、１１６１ｃ  バネ係合部、１１６１ｃ１  外突出部、１１６１ｃ２  内突出部、１１６１ｃ３  溝部、１１６２  バネ腕部、１２４０  エンドキャップ、１２４２  第一突設部、１２４２ａ  天板部、１２４２ｂ  側板部、１３００  連結部材、１３５０  本体係合部、１３５０ａ  端部、２２４０  エンドキャップ、２２４２  第一突設部、２３００  連結部材。
【図１】
2020024804.tif 000003
【図２】
2020024804.tif 000004
【図３】
2020024804.tif 000005
【図４】
2020024804.tif 000006
【図５】
2020024804.tif 000007
【図６】
2020024804.tif 000008
【図７】
2020024804.tif 000009
【図８】
2020024804.tif 000010
【図９】
2020024804.tif 000011
【図１０】
2020024804.tif 000012
【図１１】
2020024804.tif 000013
【図１２】
2020024804.tif 000014
【図１３】
2020024804.tif 000015
【図１４】
2020024804.tif 000016
【図１５】
2020024804.tif 000017
【図１６】
2020024804.tif 000018
【図１７】
2020024804.tif 000019
【図１８】
2020024804.tif 000020
【図１９】
2020024804.tif 000021
【図２０】
2020024804.tif 000022
【図２１】
2020024804.tif 000023
【図２２】
2020024804.tif 000024
【図２３】
2020024804.tif 000025
【図２４】
2020024804.tif 000026
【図２５】
2020024804.tif 000027
【図２６】
2020024804.tif 000028
【図２７】
2020024804.tif 000029
【図２８】
2020024804.tif 000030
【図２９】
2020024804.tif 000031
【図３０】
2020024804.tif 000032
【図３１】
2020024804.tif 000033
【図３２】
2020024804.tif 000034
【図３３】
2020024804.tif 000035
【図３４】
2020024804.tif 000036
【図３５】
2020024804.tif 000037
【図３６】
2020024804.tif 000038
【図３７】
2020024804.tif 000039
【図３８】
2020024804.tif 000040
【図３９】
2020024804.tif 000041
【図４０】
2020024804.tif 000042
【図４１】
2020024804.tif 000043
【図４２】
2020024804.tif 000044
【図４３】
2020024804.tif 000045
【図４４】
2020024804.tif 000046
【図４５】
2020024804.tif 000047